(57)【要約】  一の実施形態に係る通信方法では、ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局が前記ユーザ装置に対して設定する。前記ユーザ装置が、前記ユーザ装置における送信データ量が閾値以上であることに応じて、前記ＬＴＥシステム及び前記ＷＬＡＮシステムの両方へデータを送信する第１の制御を実行する。前記ユーザ装置が、前記送信データ量が前記閾値未満であることに応じて、前記ＬＴＥシステム及び前記ＷＬＡＮシステムの一方へ前記データを送信する第２の制御を実行する。
2017170164.tif 000002
【特許請求の範囲】
【請求項１】
通信方法であって、
ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局が前記ユーザ装置に対して設定し、
前記ユーザ装置が、前記ユーザ装置における送信データ量が閾値以上であることに応じて、前記ＬＴＥシステム及び前記ＷＬＡＮシステムの両方へデータを送信する第１の制御を実行し、
前記ユーザ装置が、前記送信データ量が前記閾値未満であることに応じて、前記ＬＴＥシステム及び前記ＷＬＡＮシステムの一方へ前記データを送信する第２の制御を実行する、通信方法。
【請求項２】
前記基地局が、前記設定において、前記ユーザ装置へ前記閾値を設定する請求項１に記載の通信方法。
【請求項３】
前記基地局が、前記設定において、前記データを前記ＷＬＡＮシステムへ送信すべきか否かを指定するための情報を前記ユーザ装置へ送信し、
前記ユーザ装置が、前記情報に基づいて、前記ＬＴＥシステム又は前記ＷＬＡＮシステムの一方へ前記データを送信する請求項１に記載の通信方法。
【請求項４】
前記情報は、前記ＷＬＡＮシステムへ送信すべきことを示し、
前記ユーザ装置が、前記情報に基づいて、前記ＷＬＡＮシステムへ前記データを送信し、
前記ユーザ装置が、前記ＷＬＡＮシステムへのみ前記データを送信する場合、前記送信データの量が０であることを前記ユーザ装置のＭｅｄｉｕｍ  Ａｃｃｅｓｓ  Ｃｏｎｔｒｏｌ（ＭＡＣ）エンティティへ示す請求項３に記載の通信方法。
【請求項５】
前記ユーザ装置が、前記第１の制御を実行している場合に、前記送信データ量のうち前記ＬＴＥシステムへ送信すべきデータ量のみに基づくバッファステータス報告を前記基地局へ送信する請求項１に記載の通信方法。
【請求項６】
ユーザ装置を制御するためのプロセッサであって、
前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局により設定される処理と、
前記ユーザ装置における送信データ量が閾値以上であることに応じて、前記ＬＴＥシステム及び前記ＷＬＡＮシステムの両方へデータを送信する第１の制御を実行する処理と、
前記送信データ量が前記閾値未満であることに応じて、前記ＬＴＥシステム及び前記ＷＬＡＮシステムの一方へ前記データを送信する第２の制御を実行する処理と、を実行するプロセッサ。
【請求項７】
ユーザ装置であって、
コントローラを備え、
前記コントローラは、
前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を前記ＬＴＥシステムにおける基地局により設定され、
前記ユーザ装置における送信データ量が閾値以上であることに応じて、前記ＬＴＥシステム及び前記ＷＬＡＮシステムの両方へデータを送信する第１の制御を実行し、
前記送信データ量が前記閾値未満であることに応じて、前記ＬＴＥシステム及び前記ＷＬＡＮシステムの一方へ前記データを送信する第２の制御を実行する、よう構成されるユーザ装置。
【発明の詳細な説明】
【技術分野】
【０００１】
本出願は、通信方法、プロセッサ、及びユーザ装置に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、ＬＷＡ（ＬＴＥ−ＷＬＡＮ  Ａｇｇｒｅｇａｔｉｏｎ）が導入されている（非特許文献１参照）。【０００３】
ＬＷＡでは、ユーザ装置は、ＬＴＥ（セルラ通信システム）の無線リソースだけでなく、ＷＬＡＮ（Ｗｉｒｅｌｅｓｓ  ＬＡＮ（Ｌｏｃａｌ  Ａｒｅａ  Ｎｅｔｗｏｒｋ）：ＷＬＡＮ通信システム）の無線リソースを利用することができる。ＬＷＡでは、ＷＬＡＮ終端装置（ＷＴ：ＷＬＡＮ  Ｔｅｒｍｉｎａｔｉｏｎ）を経由して基地局からユーザ装置へのデータ（パケット）が送られる。
【先行技術文献】
【非特許文献】
【０００４】
【非特許文献１】３ＧＰＰ技術仕様書「ＴＳ  ３６．３００  Ｖ１３．２．０」  ２０１６年１月１３日
【発明の概要】
【０００５】
一の実施形態に係る通信方法では、ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局が前記ユーザ装置に対して設定する。前記ユーザ装置が、前記ユーザ装置における送信データ量が閾値以上であることに応じて、前記ＬＴＥシステム及び前記ＷＬＡＮシステムの両方へデータを送信する第１の制御を実行する。前記ユーザ装置が、前記送信データ量が前記閾値未満であることに応じて、前記ＬＴＥシステム及び前記ＷＬＡＮシステムの一方へ前記データを送信する第２の制御を実行する。
【０００６】
一の実施形態に係るプロセッサは、ユーザ装置を制御するためのプロセッサである。前記プロセッサは、前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局により設定される処理と、前記ユーザ装置における送信データ量が閾値以上であることに応じて、前記ＬＴＥシステム及び前記ＷＬＡＮシステムの両方へデータを送信する第１の制御を実行する処理と、前記送信データ量が前記閾値未満であることに応じて、前記ＬＴＥシステム及び前記ＷＬＡＮシステムの一方へ前記データを送信する第２の制御を実行する処理と、を実行する。
【０００７】
一の実施形態に係るユーザ装置は、コントローラを備える。前記コントローラは、前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を前記ＬＴＥシステムにおける基地局により設定され、前記ユーザ装置における送信データ量が閾値以上であることに応じて、前記ＬＴＥシステム及び前記ＷＬＡＮシステムの両方へデータを送信する第１の制御を実行し、前記送信データ量が前記閾値未満であることに応じて、前記ＬＴＥシステム及び前記ＷＬＡＮシステムの一方へ前記データを送信する第２の制御を実行する、よう構成される。
【図面の簡単な説明】
【０００８】
【図１】図１は、システム構成を示す図である。
【図２】図２は、ＬＴＥシステムにおける無線インターフェイスのプロトコルスタック図である。
【図３】図３は、ＬＷＡで用いられるｅＮＢの無線プロトコル構造を示す図である。
【図４】図４は、ＵＥ１００を示すブロック図である。
【図５】図５は、ｅＮＢ２００を示すブロック図である。
【図６】図６は、ＡＰ３００を示すブロック図である。
【図７】図７は、ＷＴ６００を示すブロック図である。
【図８】図８は、ＬＷＡによる上りデータの流れを説明するための図である
【図９】図９は、第１実施形態に係る動作を説明するためのシーケンス図である。
【図１０】図１０は、第２実施形態に係る動作を説明するためのシーケンス図である。
【図１１】図１１は、第３実施形態に係る動作を説明するためのシーケンス図である。
【図１２】図１２は、第５実施形態の変更例に係る動作を説明するための図である。
【発明を実施するための形態】
【０００９】
［実施形態の概要］
一の実施形態に係る通信方法では、ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局が前記ユーザ装置に対して設定する。前記ユーザ装置が、前記ユーザ装置における送信データ量が閾値以上であることに応じて、前記ＬＴＥシステム及び前記ＷＬＡＮシステムの両方へデータを送信する第１の制御を実行する。前記ユーザ装置が、前記送信データ量が前記閾値未満であることに応じて、前記ＬＴＥシステム及び前記ＷＬＡＮシステムの一方へ前記データを送信する第２の制御を実行する。
【００１０】
前記基地局が、前記設定において、前記ユーザ装置へ前記閾値を設定してもよい。
【００１１】
前記基地局が、前記設定において、前記データを前記ＷＬＡＮシステムへ送信すべきか否かを指定するための情報を前記ユーザ装置へ送信してもよい。前記ユーザ装置が、前記情報に基づいて、前記ＬＴＥシステム又は前記ＷＬＡＮシステムの一方へ前記データを送信してもよい。
【００１２】
前記情報は、前記ＷＬＡＮシステムへ送信すべきことを示してもよい。前記ユーザ装置が、前記情報に基づいて、前記ＷＬＡＮシステムへ前記データを送信してもよい。前記ユーザ装置が、前記ＷＬＡＮシステムへのみ前記データを送信する場合、前記送信データの量が０であることを前記ユーザ装置のＭｅｄｉｕｍ  Ａｃｃｅｓｓ  Ｃｏｎｔｒｏｌ（ＭＡＣ）エンティティへ示してもよい。
【００１３】
前記ユーザ装置が、前記第１の制御を実行している場合に、前記送信データ量のうち前記ＬＴＥシステムへ送信すべきデータ量のみに基づくバッファステータス報告を前記基地局へ送信してもよい。
【００１４】
一の実施形態に係るプロセッサは、ユーザ装置を制御するためのプロセッサである。前記プロセッサは、前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を、前記ＬＴＥシステムにおける基地局により設定される処理と、前記ユーザ装置における送信データ量が閾値以上であることに応じて、前記ＬＴＥシステム及び前記ＷＬＡＮシステムの両方へデータを送信する第１の制御を実行する処理と、前記送信データ量が前記閾値未満であることに応じて、前記ＬＴＥシステム及び前記ＷＬＡＮシステムの一方へ前記データを送信する第２の制御を実行する処理と、を実行する。
【００１５】
一の実施形態に係るユーザ装置は、コントローラを備える。前記コントローラは、前記ユーザ装置がＬｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用するためのＬＴＥ−ＷＬＡＮ  Ａｇｇｒｅｇａｔｉｏｎ（ＬＷＡ）を前記ＬＴＥシステムにおける基地局により設定され、前記ユーザ装置における送信データ量が閾値以上であることに応じて、前記ＬＴＥシステム及び前記ＷＬＡＮシステムの両方へデータを送信する第１の制御を実行し、前記送信データ量が前記閾値未満であることに応じて、前記ＬＴＥシステム及び前記ＷＬＡＮシステムの一方へ前記データを送信する第２の制御を実行する、よう構成される。
【００１６】
一の実施形態に係る基地局は、ＬＴＥ−ＷＬＡＮ  Ａｇｇｒｅｇａｔｉｏｎ（ＬＷＡ）により、ユーザ装置からのデータを無線ＬＡＮ経由で受け取る制御を実行するコントローラを備える。前記コントローラは、前記ユーザ装置が前記基地局の無線リソースを用いて送信すべきデータを指定するための情報を前記ユーザ装置へ送信する制御を実行する。
【００１７】
前記コントローラは、前記無線ＬＡＮ経由で受け取るデータの受信状況に応じて、前記情報を前記ユーザ装置へ送信する制御を実行してもよい。
【００１８】
前記情報は、前記送信すべきデータのシーケンス番号を指定する情報を含んでもよい。
【００１９】
前記情報は、前記送信すべきデータの送信時間を指定する情報を含んでもよい。
【００２０】
一の実施形態に係る基地局は、ＬＴＥ−ＷＬＡＮ  Ａｇｇｒｅｇａｔｉｏｎ（ＬＷＡ）により、ユーザ装置からのデータを無線ＬＡＮ経由で受け取る制御を実行するコントローラを備える。前記コントローラは、前記データの受信状況を前記ユーザ装置へ知らせる。
【００２１】
前記コントローラは、前記ユーザ装置が他の基地局へハンドオーバを実行する前に前記データの受信状況を前記ユーザ装置へ知らせてもよい。
【００２２】
一の実施形態に係る基地局は、ＬＴＥ−ＷＬＡＮ  Ａｇｇｒｅｇａｔｉｏｎ（ＬＷＡ）により、ユーザ装置からのデータをＬＴＥ経由及び無線ＬＡＮ経由の少なくとも一方により受け取る制御を実行するコントローラを備える。
【００２３】
前記コントローラは、前記ＬＴＥ経由では、前記基地局の無線リソースを用いて送信された前記データを受け取る制御と、前記無線ＬＡＮ経由では、前記無線ＬＡＮの無線リソースを用いて送信された前記データを受け取る制御と、を実行する。前記コントローラは、前記データを前記ＬＴＥ経由で送信するか前記無線ＬＡＮ経由で送信するかを指定するためのＰＤＣＰ  ＰＤＵを前記ユーザ装置へ送信する制御を実行する。
【００２４】
一の実施形態に係るユーザ装置は、ＬＴＥ−ＷＬＡＮ  Ａｇｇｒｅｇａｔｉｏｎ（ＬＷＡ）により、無線ＬＡＮ経由で基地局へデータを送信する制御を実行するコントローラを備える。前記コントローラは、前記無線ＬＡＮ経由でのデータの通信状況に応じて、バッファステータス報告を前記基地局へ送信する制御を実行する。
【００２５】
前記コントローラは、前記無線ＬＡＮ経由でのデータの通信状況の情報を前記基地局へ送信する制御を実行してもよい。
【００２６】
前記コントローラは、所定時間が経過するまで、前記無線ＬＡＮ経由でデータを送信せずに、前記基地局の無線リソースのみを用いてデータを送信する制御を実行してもよい。
【００２７】
前記コントローラは、前記基地局の無線リソースのみを用いてデータを送信すると判定するための情報を前記基地局から受信する制御を実行してもよい。
【００２８】
前記コントローラは、前記基地局における前記無線ＬＡＮ経由でのデータの受信状況の情報を前記基地局から受信する制御を実行してもよい。
【００２９】
一の実施形態に係るユーザ装置は、ＬＴＥ−ＷＬＡＮ  Ａｇｇｒｅｇａｔｉｏｎ（ＬＷＡ）により、無線ＬＡＮ経由で第１のセルへデータを送信する制御を実行するコントローラを備える。前記コントローラは、前記第１セルから第２セルへのハンドオーバを実行する制御を実行する。前記コントローラは、前記ユーザ装置のＷＬＡＮエンティティが前記ユーザ装置のＰＤＣＰエンティティへ送る前記無線ＬＡＮ経由でのデータの送信状況に応じて、前記第２セルへ送信するデータを決定する。
【００３０】
一の実施形態に係るユーザ装置は、ＬＴＥ−ＷＬＡＮ  Ａｇｇｒｅｇａｔｉｏｎ（ＬＷＡ）により、ＬＴＥ経由及び無線ＬＡＮ経由の少なくとも一方によりデータを基地局へ送信する制御を実行するコントローラを備える。前記コントローラは、前記ＬＴＥ経由では、前記基地局の無線リソースを用いて前記データを送信する制御と、前記無線ＬＡＮ経由では、前記無線ＬＡＮの無線リソースを用いて前記データを送信する制御と、を実行する。前記コントローラは、前記ＬＴＥ経由及び前記無線ＬＡＮ経由のいずれか一方で第１のデータを送信し、前記ＬＴＥ経由及び前記無線ＬＡＮ経由のいずれか他方で第１のデータに続く第２のデータを送信する制御を実行する。前記第２のデータは、前記第２のデータの送信時間の情報を含む。
【００３１】
一の実施形態に係るユーザ装置は、ＬＴＥ−ＷＬＡＮ  Ａｇｇｒｅｇａｔｉｏｎ（ＬＷＡ）により、ＬＴＥ経由及び無線ＬＡＮ経由の少なくとも一方によりデータを基地局へ送信する制御を実行するコントローラを備える。前記コントローラは、前記ＬＴＥ経由では、前記基地局の無線リソースを用いて前記データを送信する制御と、前記無線ＬＡＮ経由では、前記無線ＬＡＮの無線リソースを用いて前記データを送信する制御と、を実行する。前記コントローラは、ＰＤＣＰエンティティにおける送信データの量が第１閾値未満である場合、前記ＬＴＥ経由及び前記無線ＬＡＮ経由の一方でのみ前記データを送信する制御を実行する。
【００３２】
前記コントローラは、前記無線ＬＡＮ経由でのみ前記データを送信する場合、前記データが存在していたとしても、前記ユーザ装置のＭＡＣエンティティに前記データが存在しないことを知らせる制御を実行してもよい。
【００３３】
前記コントローラは、前記ＬＴＥ経由でのみ前記データを送信する場合、前記データが存在していたとしても、前記ユーザ装置のＷＬＡＮエンティティに前記データが存在しないことを知らせる制御を実行してもよい。
【００３４】
前記コントローラは、Ｄｕａｌ  Ｃｏｎｎｅｃｔｉｖｉｔｙ（ＤＣ）により、前記マスタ基地局である前記基地局と、前記ユーザ装置からのデータを前記マスタ基地局へ転送するセカンダリ基地局と、の少なくとも一方にデータを送信する制御をさらに実行してもよい。前記コントローラは、前記第１の閾値だけでなく前記第２の閾値を用いてデータの送信を制御してもよい。前記第２の閾値は、前記送信データの量が第２閾値未満である場合、前記マスタ基地局と前記セカンダリ基地局との一方にのみ前記データを送信する制御を実行してもよい。
【００３５】
一の実施形態に係るユーザ装置は、ＬＴＥ−ＷＬＡＮ  Ａｇｇｒｅｇａｔｉｏｎ（ＬＷＡ）により、ＬＴＥ経由及び無線ＬＡＮ経由の少なくとも一方によりデータを基地局へ送信する制御を実行するコントローラを備えてもよい。前記コントローラは、前記ＬＴＥ経由では、前記基地局の無線リソースを用いて前記データを送信する制御と、前記無線ＬＡＮ経由では、前記無線ＬＡＮの無線リソースを用いて前記データを送信する制御と、を実行してもよい。前記コントローラは、前記ユーザ装置のＰＤＣＰエンティティが、前記ＰＤＣＰエンティティにおける送信データの量を、前記ユーザ装置のＷＬＡＮエンティティに知らせる制御を実行してもよい。
【００３６】
前記コントローラは、バッファステータス報告を基地局へ送信する場合に、前記ＷＬＡＮエンティティにも前記送信データの量を知らせる制御を実行してもよい。
【００３７】
前記コントローラは、前記ＷＬＡＮエンティティから前記ＰＤＣＰエンティティへの問い合わせに応じて、前記送信データの量を前記ＷＬＡＮエンティティに知らせる制御を実行してもよい。
【００３８】
以下、図面を参照して、３ＧＰＰ規格に準拠して構成されるセルラ通信システムであるＬＴＥシステムと無線ＬＡＮ（ＷＬＡＮ：Ｗｉｒｅｌｅｓｓ  Ｌｏｃａｌ  Ａｒｅａ  Ｎｅｔｗｏｒｋ）システムとが連携可能であるケースを例に挙げて説明する。
【００３９】
（システム構成）
図１は、実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００４０】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００４１】
ＵＥ１００は、ユーザ装置（無線端末）である。ＵＥ１００は、移動型の無線通信装置である。ＵＥ１００は、セルラ通信及びＷＬＡＮ通信の両通信方式をサポートする端末（デュアル端末）である。
【００４２】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理する。ｅＮＢ２００は、自セルに在圏するＵＥ１００との無線通信を行う。「セル」は、無線通信エリアの最小単位を示す用語として使用されてもよい。「セル」は、ＵＥ１００との無線通信を行う機能（リソース）を示す用語としても使用されてもよい。ｅＮＢ２００は、無線リソース管理（ＲＲＭ）機能、ユーザデータのルーティング機能、モビリティ制御及びスケジューリングのための測定制御機能等を有する。
【００４３】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）４００及びＳＧＷ（Ｓｅｒｖｉｎｇ  Ｇａｔｅｗａｙ）５００と接続される。ｅＮＢ２００は、Ｘｗインターフェイスを介して、後述するＷＴ６００と接続される。
【００４４】
ＥＰＣ２０は、複数のＭＭＥ４００／Ｓ−ＧＷ５００を含む。ＭＭＥ４００は、ＵＥ１００に対する各種モビリティ制御等を行うネットワークノードであり、制御局に相当する。ＳＧＷ５００は、ユーザデータの転送制御を行うネットワークノードであり、交換局に相当する。
【００４５】
ＷＬＡＮ３０は、ＷＬＡＮアクセスポイント（以下「ＡＰ」という）３００と、ＷＬＡＮ終端装置（以下、「ＷＴ」という）６００とを含む。ＡＰ３００は、例えばＬＴＥシステムのＮＷ（Ｎｅｔｗｏｒｋ）オペレータにより管理されるＡＰ（Ｏｐｅｒａｔｏｒ  ｃｏｎｔｒｏｌｌｅｄ  ＡＰ）である。
【００４６】
ＷＴ６００は、論理ノードである。ＷＴ６００は、Ｘｗインターフェイスを介してｅＮＢ２００と接続される。ＷＴ６００は、ＷＬＡＮに関してＸｗインターフェイスを終端する。Ｘｗインターフェイスは、Ｘｗユーザプレーンインターフェイス（Ｘｗ−Ｕ）とＸｗコントロールプレーンインターフェイス（Ｘｗ−Ｃ）とにより構成される。Ｘｗ−Ｕは、ｅＮＢ２００とＷＴ６００との間でデータ（ＬＷＡ  ＰＤＵ）を運ぶために用いられる。Ｘｗ−Ｃは、ｅＮＢ２００とＷＴ６００との間で制御シグナルを運ぶために用いられる。
【００４７】
ＷＴ６００は、１以上のＡＰ３００と関連付けられている。ＷＴ６００は、関連付けられているＡＰ３００を介して、ＵＥ１００へデータを送信又は受信する。ＷＴ６００は、関連付けられているＡＰ３００の識別子を保持する。
【００４８】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００４９】
図２は、ＬＴＥシステムにおける無線インターフェイスのプロトコルスタック図である。図２に示すように、無線インターフェイスプロトコルは、ＯＳＩ参照モデルの第１層乃至第３層に区分されている。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５０】
物理層（ＰＨＹエンティティ）は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５１】
ＭＡＣ層（ＭＡＣエンティティ）は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラを含む。当該スケジューラは、上下リンクのトランスポートフォーマット（トランスポートブロックサイズ、変調・符号化方式（ＭＣＳ））及びＵＥ１００への割当リソースブロックを決定する。
【００５２】
ＲＬＣ層（ＲＬＣエンティティ）は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００５３】
ＰＤＣＰ層（ＰＤＣＰエンティティ）は、ヘッダ圧縮・伸張、及び暗号化・復号化を行う。
【００５４】
ＲＲＣ層（ＲＲＣエンティティ）は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態（コネクティッド状態）である。そうでない場合、ＵＥ１００はＲＲＣアイドル状態（アイドル状態）である。
【００５５】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５６】
（ＬＷＡ）
ＬＷＡ（ＬＴＥ−ＷＬＡＮ  Ａｇｇｒｅｇａｔｉｏｎ）について、図３を用いて説明する。図３は、ＬＷＡで用いられるｅＮＢ２００の無線プロトコル構造（ｒａｄｉｏ  ｐｒｏｔｏｃｏｌ  ａｒｃｈｉｔｅｃｔｕｒｅ）を示す。
【００５７】
Ｅ−ＵＴＲＡＮ１０は、ＬＷＡ動作をサポートする。ＬＷＡでは、ＬＴＥとＷＬＡＮとの無線リソースを利用するために、ＲＲＣ接続状態のＵＥ１００がｅＮＢ２００により設定（コンフィグ）される。
【００５８】
図３に示すように、ＬＷＡでは、ｅＮＢ２００には、ＬＷＡＡＰ（ＬＴＥ−ＷＬＡＮ  Ａｇｇｒｅｇａｔｉｏｎ  Ａｄａｐｔａｔｉｏｎ  Ｐｒｏｔｏｃｏｌ）エンティティが設けられる。ＬＷＡＡＰエンティティは、ＬＷＡ  ＰＤＵを発生する。ＬＷＡ  ＰＤＵは、ＬＷＡにおいて、ＷＬＡＮ３０を介した送信のためにＬＷＡＡＰエンティティにより発生したＤＲＢ（Ｄａｔａ  Ｒａｄｉｏ  Ｂｅａｒｅｒ）識別子（ＤＲＢ  ＩＤ）を含むＰＤＵ（Ｐｒｏｔｏｃｏｌ  Ｄａｔａ  Ｕｎｉｔ）である。ＷＴ６００は、ＷＬＡＮ３０を介したＵＥ１００へのデータの転送のためにＬＷＡ  ＥｔｈｅｒＴｙｐｅを用いる。ＵＥ１００は、受信したＰＤＵがＬＷＡベアラに属することを決定するために、ＬＷＡ  ＥｔｈｅｒＴｙｐｅを用いる。ＵＥ１００は、ＰＤＵが属するＬＷＡベアラを決定するためにＤＲＢ識別子を用いる。
【００５９】
ＬＷＡでは、ｅＮＢ２００（ＬＴＥ）の無線リソースのみを用いてデータ（パケット）が伝送されるベアラ（ＬＷＡベアラ）が存在する。
【００６０】
ＬＷＡでは、２つのベアラタイプが存在する。２つのベアラタイプは、スプリットＬＷＡベアラ（ｓｐｌｉｔ  ＬＷＡ  ｂｅａｒｅｒ）及びスイッチドＬＷＡベアラ（ｓｗｉｔｃｈｅｄ  ＬＷＡ  ｂｅａｒｅｒ）である。
【００６１】
スプリットＬＷＡベアラは、ＬＷＡにおいて、ｅＮＢ２００及びＷＬＡＮ３０の無線リソースを用いるためにｅＮＢ２００とＷＬＡＮ３０との両方に無線プロトコルが位置するベアラである。スプリットＬＷＡベアラは、ＰＤＣＰ層において、スプリット（分裂）するベアラである。一方のスプリットベアラは、ｅＮＢ２００の無線リソースを用いてデータが伝送される。ＰＤＣＰ層（第１のＰＤＣＰ層）、ＲＬＣ層及びＭＡＣ層を経由してデータが伝送される。他方のスプリットベアラは、ＷＬＡＮ３０の無線リソースを用いてデータが伝送される。ＰＤＣＰ層からＬＷＡＡＰを経由して、ＷＴ６００へデータが伝送される。データは、ＷＴ６００及びＡＰ３００を経由してＵＥ１００へ伝送される。
【００６２】
スイッチドＬＷＡベアラは、ＬＷＡにおいて、ｅＮＢ２００とＷＬＡＮ３０との両方に無線プロトコルが位置するが、ＷＬＡＮ３０の無線リソースのみが用いられるベアラである。スイッチドＬＷＡベアラでは、上述の他方のスプリットベアラと同様に、ＰＤＣＰ層（第２のＰＤＣＰ層）からＬＷＡＡＰを経由して、ＷＴ６００へデータが伝送される。
【００６３】
ＬＷＡを下りデータ（パケット）伝送に用いるケースを説明したが、ＬＷＡを上りデータ（パケット）伝送に用いるケースも同様である。
【００６４】
ただし、ＵＥ１００からＷＬＡＮ３０を経由してｅＮＢ２００へ伝送されるデータ（パケット）の行き先（ＰＤＣＰ層）は、当該データが属するベアラに応じて異なる。ＬＷＡＡＰは、データ（パケット）に含まれるＤＲＢ識別子に基づいて、送信先のＰＤＣＰを決定する。ＬＷＡＡＰは、データがスプリットＬＷＡベアラに属する（すなわち、データがスプリットＬＷＡベアラの識別子を含む）場合、データを第１のＰＤＣＰ層へ送る。第１のＰＤＣＰ層において、ＲＬＣ層から送られたデータ（パケット）と結合される。第１のＰＤＣＰ層は、結合されたデータを上位ノード（ＭＭＥ４００／ＳＧＷ５００）へ送る。一方、ＬＷＡＡＰは、データがスイッチドＬＷＡベアラに属する（すなわち、データがスイッチドＬＷＡベアラの識別子を含む）場合、データを第２のＰＤＣＰ層へ送る。第２のＰＤＣＰ層は、データを上位ノード（ＭＭＥ４００／ＳＧＷ５００）へ送る。
【００６５】
（ＷＬＡＮモビリティセット）
ＷＬＡＮモビリティセットについて、説明する。ＷＬＡＮモビリティセットは、１以上のＷＬＡＮ識別子（例えば、ＢＳＳＩＤ（Ｂａｓｉｃ  Ｓｅｒｖｉｃｅ  Ｓｅｔ  ＩＤ）、ＨＥＳＳＩＤ（Ｈｏｍｏｇｅｎｏｕｓ  Ｅｘｔｅｎｄｅｄ  Ｓｅｒｖｉｃｅ  Ｓｅｔ  ＩＤ）及びＳＳＩＤ（Ｓｅｒｖｉｃｅ  Ｓｅｔ  ＩＤ）など）により識別される１つ以上のＡＰ３００のセットである。ＵＥ１００は、ｅＮＢ２００への通知なく、ＷＬＡＮモビリティセットに属するＡＰ３００間でモビリティを実行してもよい。
【００６６】
ｅＮＢ２００は、ＵＥ１００へＷＬＡＮモビリティセットを提供する。ＵＥ１００にＷＬＡＮモビリティセットが設定（コンフィグ）された場合、ＵＥ１００は、設定されたＷＬＡＮモビリティセットの１つと一致する識別子のＷＬＡＮ３０（ＡＰ３００）との接続を試みる。ＷＬＡＮモビリティセットに属さないＡＰ３００へのＵＥ１００のモビリティは、ｅＮＢ２００によって制御される。例えば、ｅＮＢ２００は、ＵＥ１００から提供されるメジャメント報告に基づいてＷＬＡＮモビリティセットを更新する。ＵＥ１００は、１回で最大でも１つのＷＬＡＮモビリティセット（ＡＰ３００）に接続する。ＷＬＡＮモビリティセットに属する全てのＡＰは、Ｘｗ−Ｃ及びＸｗ−Ｕを終端する共通のＷＴ６００を共有する。ＷＬＡＮモビリティセットに属するＷＬＡＮ識別子は、ＷＴ６００に関連付けられている全てのＷＬＡＮ識別子の一部（サブセット）であってもよい。
【００６７】
（ＷＬＡＮ測定報告）
ＬＷＡをサポートするＵＥ１００は、ＷＬＡＮ測定報告を実行するためにｅＮＢ２００（Ｅ−ＵＴＲＡＮ１０）により設定（コンフィグ）されてもよい。ＷＬＡＮ測定対象は、ＷＬＡＮ識別子、ＷＬＡＮチャネル番号（ＷＬＡＮ  ｃｈａｎｎｅｌ  ｎｕｍｂｅｒ）及びＷＬＡＮ帯域（ＷＬＡＮ  ｂａｎｄ）の少なくともいずれかにより設定されてもよい。
【００６８】
ＷＬＡＮ測定報告は、ＡＰ３００からの無線信号（例えば、ビーコン信号）の受信強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を用いてトリガされる。ＷＬＡＮ測定報告は、ＲＳＳＩ、チャネル利用（ｃｈａｎｎｅｌ  ｕｔｉｌｉｚａｔｉｏｎ）、局カウント（ｓｔａｔｉｏｎ  ｃｏｕｎｔ）、認証キャパシティ（ａｄｍｉｓｓｉｏｎ  ｃａｐａｃｉｔｙ）、バックホールレート（ｂａｃｋｈａｕｌ  ｒａｔｅ）及びＷＬＡＮ識別子を含んでいてもよい。
【００６９】
（無線端末）
ＵＥ１００（無線端末）の構成について説明する。図４は、ＵＥ１００を示すブロック図である。
【００７０】
図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。ＵＥ１００は、セルラ通信とＷＬＡＮ通信とで共通に用いられるレシーバ１１０及びトランスミッタ１２０を備えてもよい。ＵＥ１００は、セルラ通信用のレシーバ１１０及びトランスミッタ１２０と、ＷＬＡＮ通信用のレシーバ１１０及びトランスミッタ１２０とをそれぞれ備えてもよい。
【００７１】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換してコントローラ１３０に出力する。
【００７２】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換してアンテナから送信する。
【００７３】
コントローラ１３０は、ＵＥ１００における各種の制御を行う。コントローラ１３０は、レシーバ１１０及びトランシーバ１２０を制御できる。コントローラ１３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。コントローラ１３０は、後述する各種の処理及び上述した各種の通信プロトコルを実行する。
【００７４】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００７５】
（基地局）
ｅＮＢ２００（基地局）の構成について説明する。図５は、ｅＮＢ２００を示すブロック図である。
【００７６】
図５に示すように、ｅＮＢ２００は、レシーバ（受信部）２１０、トランスミッタ（送信部）２２０、コントローラ（制御部）２３０、及びネットワークインターフェイス２４０を備える。レシーバ２１０とトランスミッタ２２０とは、一体化されたトランシーバ（送受信部）であってもよい。
【００７７】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換してコントローラ２３０に出力する。
【００７８】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換してアンテナから送信する。
【００７９】
コントローラ２３０は、ｅＮＢ２００における各種の制御を行う。コントローラ２３０は、レシーバ２１０、トランスミッタ２２０及びネットワークインターフェイス２４０を制御できる。コントローラ２３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ２３０は、後述する各種の処理及び上述した各種の通信プロトコルを実行する。
【００８０】
ネットワークインターフェイス２４０は、Ｘ２インターフェイスを介して隣接ｅＮＢ２００と接続される。ネットワークインターフェイス２４０は、Ｓ１インターフェイスを介してＭＭＥ４００及びＳＧＷ５００と接続される。ネットワークインターフェイス２４０は、Ｘ２インターフェイス上で行う通信及びＳ１インターフェイス上で行う通信等に使用される。
【００８１】
ネットワークインターフェイス２４０は、Ｘｗインターフェイスを介してＷＴ６００と接続される。ネットワークインターフェイス２４０は、Ｘｗインターフェイス上で行う通信等に使用される。
【００８２】
本明細書では、ｅＮＢ２００が備えるレシーバ２１０、トランスミッタ２２０、コントローラ２３０及びネットワークインターフェイス２４０の少なくともいずれかが実行する処理を、便宜上、ｅＮＢ２００が実行する処理（動作）として説明する。
【００８３】
（無線ＬＡＮアクセスポイント）
ＡＰ３００（無線ＬＡＮアクセスポイント）の構成について説明する。図６は、ＡＰ３００を示すブロック図である。
【００８４】
図６に示すように、ＡＰ３００は、レシーバ（受信部）３１０、トランスミッタ（送信部）３２０、コントローラ（制御部）３３０、及びネットワークインターフェイス３４０を備える。レシーバ３１０とトランスミッタ３２０とは、一体化されたトランシーバ（送受信部）であってもよい。
【００８５】
レシーバ３１０は、コントローラ３３０の制御下で各種の受信を行う。レシーバ３１０は、アンテナを含む。レシーバ３１０は、アンテナが受信する無線信号をベースバンド信号（受信信号）に変換してコントローラ３３０に出力する。
【００８６】
トランスミッタ３２０は、コントローラ３３０の制御下で各種の送信を行う。トランスミッタ３２０は、アンテナを含む。トランスミッタ３２０は、コントローラ３３０が出力するベースバンド信号（送信信号）を無線信号に変換してアンテナから送信する。
【００８７】
コントローラ３３０は、ＡＰ３００における各種の制御を行う。コントローラ３３０は、レシーバ３１０、トランスミッタ３２０及びネットワークインターフェイス３４０を制御できる。コントローラ３３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ３３０は、後述する各種の処理及び上述した各種の通信プロトコルを実行する。
【００８８】
ネットワークインターフェイス３４０は、所定のインターフェイスを介してバックホールと接続される。ネットワークインターフェイス３４０は、ＷＴ６００と接続され、ＷＴ６００との通信等に使用される。
【００８９】
本明細書では、ＡＰ３００が備えるレシーバ３１０、トランスミッタ３２０、コントローラ３３０及びネットワークインターフェイス３４０の少なくともいずれかが実行する処理を、便宜上、ＡＰ３００が実行する処理（動作）として説明する。
【００９０】
（ＷＬＡＮ終端装置）
ＷＴ６００（ＷＬＡＮ終端装置）の構成について説明する。図７は、ＷＴ６００を示すブロック図である。
【００９１】
図７に示すように、ＷＴ６００は、コントローラ（制御部）６３０及びネットワークインターフェイス６４０を備える。
【００９２】
コントローラ６３０は、ＷＴ６００における各種の制御を行う。コントローラ６３０は、ネットワークインターフェイス６４０を制御できる。コントローラ６３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ６３０は、後述する各種の処理及び上述した各種の通信プロトコルを実行する。
【００９３】
ネットワークインターフェイス６４０は、所定のインターフェイスを介してバックホールと接続される。ネットワークインターフェイス６４０は、ＡＰ３００と接続され、ＡＰ３００との通信等に使用される。
【００９４】
ネットワークインターフェイス６４０は、Ｘｗインターフェイスを介してｅＮＢ２００と接続される。ネットワークインターフェイス６４０は、Ｘｗインターフェイス上で行う通信等に使用される。
【００９５】
本明細書では、ＷＴ６００が備えるコントローラ６３０及びネットワークインターフェイス６４０の少なくともいずれかが実行する処理を、便宜上、ＷＴ６００が実行する処理（動作）として説明する。
【００９６】
［第１実施形態］
（ＬＷＡによる上りデータの流れ）
ＬＷＡによる上りデータの流れを図８を用いて説明する。図８は、ＬＷＡによる上りデータの流れを説明するための図である。
【００９７】
図８に示すように、ＵＥ１００は、ＬＷＡにより、ＬＴＥ経由及びＷＬＡＮ経由でデータをｅＮＢ２００へ送信可能である。従って、ＵＥ１００は、ＬＴＥ経由及びＷＬＡＮ経由の少なくとも一方によりデータを送信する制御を実行できる。ＵＥ１００は、ＬＴＥ経由では、ｅＮＢ２００の無線リソースを用いてデータを送信する制御を実行する。ＵＥ１００は、ＷＬＡＮ経由では、ＷＬＡＮ３０（ＡＰ３００）の無線リソースを用いてデータを送信する制御を実行する。
【００９８】
ｅＮＢ２００は、ＬＷＡにより、ＬＴＥ経由及びＷＬＡＮ経由でデータをＵＥ１００から受け取ることができる。従って、ｅＮＢ２００は、ＬＴＥ経由及びＷＬＡＮ経由の少なくとも一方によりＵＥ１００からのデータを受け取る制御を実行できる。ｅＮＢ２００は、ＬＴＥ経由では、ｅＮＢ２００の無線リソースを用いて送信されたデータを受け取る制御を実行する。ｅＮＢ２００は、ＷＬＡＮ経由では、ＷＬＡＮ３０（ＡＰ３００）の無線リソースを用いて送信されたデータを受け取る制御を実行する。具体的には、ＷＴ６００からＸｗインターフェイスを介して当該データを受け取る。ＷＴ６００は、ＵＥ１００からのデータをＡＰ３００から受け取る。
【００９９】
ＵＥ１００が、ＬＷＡにより、データをｅＮＢ２００へ送信する例を具体的に説明する。具体的には、スプリットＬＷＡベアラに属するデータの流れを説明する。以下において、ＵＥ１００において、ＬＷＡにおけるＷＬＡＮ機能を便宜的にＷＬＡＮエンティティと称する。ＷＬＡＮエンティティは、ＷＬＡＮ３０経由でのデータを送信及び／又は受信するためのエンティティである。ＲＬＣエンティティ、ＭＡＣエンティティ及びＰＨＹエンティティを便宜的にＬＴＥエンティティと称する。
【０１００】
図８に示すように、ＵＥ１００において、ＵＥ１００のＰＤＣＰは、データをＬＴＥエンティティ及びＬＷＡＡＰエンティティの一方へ送る。ＬＷＡＡＰエンティティは、ＰＤＣＰエンティティの下位エンティティである。
【０１０１】
ＬＴＥエンティティは、ＲＬＣエンティティ（以下、ＲＬＣ）、ＭＡＣエンティティ（以下、ＭＡＣ）及びＰＨＹエンティティ（以下、ＰＨＹ）を含む。ＰＤＣＰから送られたデータは、ＲＬＣ、ＭＡＣ及びＰＨＹを経由して、ｅＮＢ２００（ＬＴＥ）の無線リソースを用いて、ｅＮＢ２００へ送られる。ｅＮＢ２００へ送られたデータは、ｅＮＢ２００のＬＴＥエンティティ（ＰＨＹ、ＭＡＣ及びＲＬＣ）を経由して、ｅＮＢ２００のＰＤＣＰに送られる。
【０１０２】
ＬＷＡＡＰエンティティ（以下、ＬＷＡＡＰ）は、ＰＤＣＰから受け取ったデータをＷＬＡＮエンティティへ送る。ＷＬＡＮエンティティは、ＷＬＡＮ  ＭＡＣエンティティ（以下、ＷＬＡＮ  ＭＡＣ）及びＷＬＡＮ  ＰＨＹエンティティ（以下、ＷＬＡＮ  ＰＨＹ）を含む。ＬＷＡＡＰから送られたデータは、ＷＬＡＮ  ＭＡＣ及びＷＬＡＮ  ＰＨＹを経由して、ＷＬＡＮ３０の無線リソースを用いて、ＷＬＡＮ３０（ＡＰ３００及びＷＴ６００）へ送られる。
【０１０３】
ＷＬＡＮ３０へ送られたデータは、ＡＰ３００及びＷＬＡＮ６０（ＷＴ６００のＷＬＡＮ）を経由して、ｅＮＢ２００のＬＷＡＡＰエンティティ（以下、ＬＷＡＡＰ）へ送られる。ｅＮＢ２００のＬＷＡＡＰは、ｅＮＢ２００のＰＤＣＰへデータを送る。
【０１０４】
ｅＮＢ２００のＰＤＣＰは、ｅＮＢ２００のＬＴＥエンティティから受け取ったデータ（パケット）とｅＮＢ２００のＬＷＡＡＰにより受け取ったデータ（パケット）とを結合する。ｅＮＢ２００のＰＤＣＰは、結合したデータを上位ノード（例えば、ＳＧＷ５００）へ送る。
【０１０５】
（第１実施形態に係る動作）
第１実施形態に係る動作について図９を用いて説明する。図９は、第１実施形態に係る動作を説明するためのシーケンス図である。
【０１０６】
図９では、ＵＥ１００には、ｅＮＢ２００によりスプリットＬＷＡベアラが設定（コンフィグ）されている。ＵＥ１００とｅＮＢ２００との間には、スプリットＬＷＡベアラ（ｓｐｌｉｔ  ＬＷＡ  ｂｅａｒｅｒ）が確立されている。
【０１０７】
図９に示すように、ステップＳ１０１において、ＵＥ１００は、ＬＷＡにより、ＷＬＡＮ３０を経由してｅＮＢ２００へデータを送る。ＵＥ１００は、ＷＴ６００へデータを送る。ＷＴ６００は、Ｘｗインターフェイスを介してデータをｅＮＢ２００へ送る（転送する）。ＵＥ１００は、ｅＮＢ２００へデータを直接送ってもよい。
【０１０８】
ステップＳ１０２において、ｅＮＢ２００は、ＷＬＡＮ３０経由でのデータの受信状況に応じて、ステップＳ１０３の処理を実行するか否かを判定できる。
【０１０９】
ｅＮＢ２００は、ＷＬＡＮ３０経由でのデータ（ＷＴ６００からのデータ）が遅延している場合、ステップＳ１０３の処理を実行してもよい。
【０１１０】
ステップＳ１０３において、ｅＮＢ２００は、データをＬＴＥ経由で送信するかＷＬＡＮ３０経由で送信するかを指定するための指定情報（ＤＥＳＩＧＮＡＴＩＯＮ）をＵＥ１００へ送信する。従って、ｅＮＢ２００は、ＬＷＡにおいて、送信先のネットワーク（ＬＴＥ／ＷＬＡＮ３０）を指定できる。
【０１１１】
ｅＮＢ２００は、ＷＬＡＮ３０経由でのデータの受信状況に応じて、指定情報をＵＥ１００へ送信する制御を実行してもよい。ｅＮＢ２００は、ＷＬＡＮ３０経由でのデータの受信状況が悪化している場合、ＵＥ１００がＬＴＥ経由で送信することを指定するための指定情報をＵＥ１００へ送信してもよい。ｅＮＢ２００は、ＷＬＡＮ３０経由でのデータの受信状況が良好になった場合、ＵＥ１００がＷＬＡＮ３０経由で送信することを指定するための指定情報をＵＥ１００へ送信してもよい。
【０１１２】
ｅＮＢ２００は、ＷＬＡＮ３０経由でのデータ（以下、ＷＬＡＮデータと適宜称する）が遅延している場合、ステップＳ１０３の処理を実行してもよい。例えば、ｅＮＢ２００は、ＳＮ（Ｓｅｑｕｅｎｃｅ  Ｎｕｍｂｅｒ）値が１，２，３，９，１０，・・・のＬＴＥ経由でのデータ（以下、ＬＴＥデータと適宜称する）をＵＥ１００から受信している場合に、ＳＮ値が４−８のＷＬＡＮデータが遅延していると判定する。ｅＮＢ２００は、ＬＴＥデータの最大ＳＮ値と受け取る予定のＷＬＡＮデータの最小ＳＮ値との差が閾値以上である場合に、ＷＬＡＮデータが遅延していると判定してもよい。
【０１１３】
ｅＮＢ２００は、後述するように、ＵＥ１００からのバッファステータス報告（ＢＳＲ）基づいて、ＷＬＡＮデータの遅延を判定してもよい（第２実施形態のＳ２０４参照）。ｅＮＢ２００は、ＵＥ１００のＷＬＡＮデータの通信状況に基づいて、ＷＬＡＮデータの遅延を判定してもよい（第２実施形態のＳ２０５参照）。ｅＮＢ２００は、ＷＬＡＮデータ（パケット）に含まれる送信時間の情報に基づいて、ＷＬＡＮデータの遅延を判定してもよい（第４実施形態参照）。
【０１１４】
ｅＮＢ２００は、ＲＲＣ  Ｃｏｎｎｅｃｔｉｏｎ  Ｒｅｃｏｎｆｉｇｕｒａｔｉｏｎメッセージより、指定情報をＵＥ１００へ送信してもよい。
【０１１５】
ｅＮＢ２００は、ＰＤＣＰ  ＰＤＵ（ＰＤＣＰ  Ｐｒｏｔｏｃｏｌ  Ｄａｔａ  Ｕｎｉｔ）により、指定情報をＵＥ１００へ送信してもよい。ＰＤＣＰ  ＰＤＵは、コントロールＰＤＵ及びデータＰＤＵであってもよい。ＰＤＣＰ  ＰＤＵは、ＰＤＣＰステータス報告を示すＰＤＵであってもよい。ＰＤＣＰ  ＰＤＵ内の確保されたビット（Ｒｅｓｅｒｖｅｄ  Ｂｉｔ）が指定情報を表してもよい。
【０１１６】
指定情報は、ＵＥ１００がＬＴＥ経由のみでデータを送信することを指定（指示）する情報又はＵＥ１００がＷＬＡＮ３０経由のみでデータを送信することを指定（指示）する情報である。
【０１１７】
ＵＥ１００の送信データ量が閾値未満である場合、ＵＥ１００がＷＬＡＮ経由（又はＬＴＥ経由）のみでデータを送信するケースを想定する。この場合、指定情報は、送信データ量（例えば、ＰＤＣＰにおける送信データ量）と比較される閾値を所定値以上に設定するための情報であってもよい。指定情報は、例えば、閾値を０（又は無限大）に設定するための情報であってもよい。
【０１１８】
指定情報は、送信すべきデータのＳＮ値（シーケンス番号）を指定する情報を含んでもよい。ＵＥ１００は、指定されたＳＮ値までは、ＬＴＥ経由のみ（又はＷＬＡＮ経由）でデータを送信する。当該情報は、ＲＲＣ  Ｃｏｎｎｅｃｔｉｏｎ  Ｒｅｃｏｎｆｉｇｕｒａｔｉｏｎメッセージに含まれてもよいし、ＰＤＣＰ  ＰＤＵに含まれてもよい。
【０１１９】
指定情報は、データのＳＮ値の直値を指定する情報（例えば、ビット列）を含んでいてもよい。データのＳＮ値の範囲（ＳＮ♯ｍ−ＳＮ♯ｎ）を指定する情報を含んでいてもよい。ＳＮ値は、ＵＥ１００が既に送信済みのデータのＳＮ値を含んでいてもよい。従って、ＵＥ１００は、指定情報に応じて、ＷＬＡＮ経由（又はＬＴＥ経由）で送信済みのデータを再送してもよい。
【０１２０】
指定情報は、送信すべきデータの送信時間を指定する情報を含んでいてもよい。指定情報は、ＵＥ１００がＬＴＥ経由（又はＷＬＡＮ３０経由）のみでデータを送信する時間（時刻）を指定する情報であってもよい。ＵＥ１００は、指定された時間までＵＥ１００がＬＴＥ経由（又はＷＬＡＮ３０経由）のみでデータを送信する。指定情報は、ＵＥ１００がＬＴＥ経由（又はＷＬＡＮ３０経由）のみでデータを送信する時間をカウントするタイマの情報であってもよい。ＵＥ１００は、タイマが満了するまで、ＬＴＥ経由（又はＷＬＡＮ３０経由）のみでデータを送信する。従って、ＵＥ１００は、所定時間が経過するまで、ＷＬＡＮ３０経由でデータを送信せずに、ｅＮＢ２００の無線リソースのみを用いて、データを送信する制御を実行する。或いは、ＵＥ１００は、所定時間が経過するまで、ＬＴＥ経由でデータを送信せずに、ＷＬＡＮ３０（ＡＰ３００）の無線リソースのみを用いて、データを送信する制御を実行してもよい。時間情報は、ＲＲＣ  Ｃｏｎｎｅｃｔｉｏｎ  Ｒｅｃｏｎｆｉｇｕｒａｔｉｏｎメッセージに含まれてもよいし、ＰＤＣＰ  ＰＤＵに含まれてもよい。
【０１２１】
指定情報は、ＵＥ１００がＬＴＥ経由及びＷＬＡＮ３０経由でデータを送信することを指定（指示）する情報であってもよい。これにより、ＬＴＥ経由（又はＷＬＡＮ３０経由）のみでデータを送信することを指定（指示）されたＵＥ１００が、当該指定情報により、ＬＴＥ経由及びＷＬＡＮ３０経由でのデータ送信を開始できる。
【０１２２】
以下において、ｅＮＢ２００が、ＬＴＥ経由のみでデータを送信することを指定する指定情報をＵＥ１００へ送信したと仮定する。
【０１２３】
ステップＳ１０４において、ＵＥ１００は、指定情報に応じて、ＬＴＥ経由のみでデータを送信する。
【０１２４】
以上より、ＬＷＡ動作が実行されている場合において、ｅＮＢ２００は、ＵＥ１００のデータの送信経路を指定することができる。ｅＮＢ２００においてＷＬＡＮデータの遅延により、ｅＮＢ２００が受け取るデータのハイパーフレーム番号（ＨＦＮ：ｈｙｐｅｒ  ｆｒａｍｅ  ｎｕｍｂｅｒ）とＵＥ１００が送信するデータとＨＦＮとの差が発生し、ＨＦＮ非同期が発生する可能性がある。このような場合に、ｅＮＢ２００は、ＵＥ１００のデータ送信経路を適切に指定することにより、リソースを有効活用しつつ、ＨＦＮ非同期の発生を抑制できる。
【０１２５】
ＨＦＮ（すなわち、オーバフローカウンタメカニズム）は、無線上で送られる必要があるシーケンス番号ビットの実際の数を制限するために、ｅＮＢ２００とＵＥ１００との間で用いられる。
【０１２６】
［第２実施形態］
第２実施形態に係る動作について、図１０を用いて説明する。図１０は、第２実施形態に係る動作を説明するためのシーケンス図である。上述した実施形態と同様の部分は、説明を省略するので、留意すべきである。
【０１２７】
第２実施形態では、ＵＥ主導で、ＬＷＡにおける送信経路の切り替えが行われる。
【０１２８】
図１０において、ステップＳ２０１は、ステップＳ１０１に対応する。
【０１２９】
ステップＳ２０２において、ｅＮＢ２００は、シグナリングをＵＥ１００へ送信することにより、ｅＮＢ２００でのＷＬＡＮ３０経由でのデータの受信状況（以下、ＷＬＡＮ受信状況）をＵＥ１００へ知らせてもよい。
【０１３０】
ｅＮＢ２００は、ＷＬＡＮ受信状況をＵＥ１００へ周期的に知らせてもよい。ｅＮＢ２００は、ＷＬＡＮ受信状況に応じて、ＷＬＡＮ受信状況をＵＥ１００へ知らせてもよい。ｅＮＢ２００は、ＷＬＡＮ３０経由でのデータの受信状況が悪化している場合、ＷＬＡＮ受信状況をＵＥ１００へ知らせてもよい。
【０１３１】
ｅＮＢ２００は、ＲＲＣにおいて、ＷＬＡＮ受信状況をＵＥ１００へ知らせてもよい。例えば、ｅＮＢ２００は、ＷＬＡＮ３０経由で受信に成功しているデータ（成功パケット）の最大ＳＮ値をＲＲＣメッセージによりＵＥ１００へ知らせてもよい。従って、ｅＮＢ２００のＲＲＣが、ＵＥ１００のＲＲＣに、成功パケットの最大ＳＮ値をＵＥ１００へ知らせてもよい。
【０１３２】
ｅＮＢ２００は、ＰＤＣＰにおいて、ＷＬＡＮ受信状況をＵＥ１００へ知らせてもよい。例えば、ｅＮＢ２００は、ＷＬＡＮ３０経由で受信に成功しているデータ（成功パケット）の最大ＳＮ値をＰＤＣＰ  ＰＤＵ（例えば、ＰＤＣＰステータス報告）によりＵＥ１００へ知らせてもよい。例えば、ｅＮＢ２００のＰＤＣＰが、ＵＥ１００のＰＤＣＰに、成功パケットの最大ＳＮ値をＵＥ１００へ知らせてもよい。
【０１３３】
ｅＮＢ２００は、ＷＬＡＮ受信状況だけでなく、ＬＴＥ経由でのデータの受信状況もＵＥ１００へ知らせてもよい。
【０１３４】
ステップＳ２０３において、ＵＥ１００は、ＷＬＡＮ３０経由でのデータの通信状況に応じて、ステップＳ２０４の処理を実行するか否かを判定できる。
【０１３５】
ＵＥ１００は、ＷＬＡＮ３０経由でのデータの送信状況に応じて、ステップＳ２０４の処理を実行するか否かを判定してもよい。例えば、ＵＥ１００は、ｅＮＢ２００から通知されたｅＮＢ２００におけるＷＬＡＮ受信状況（Ｓ２０２のシグナリング）に応じて、ステップＳ２０４の処理を実行するか否かを判定してもよい。このように、ＵＥ１００は、ＷＬＡＮ３０経由でのＵＥ１００からｅＮＢ２００への送信データに遅延が発生している場合に、ステップＳ２０４の処理を実行すると判定してもよい。
【０１３６】
ＵＥ１００は、送信データの遅延を計測するためのタイマに基づいて、ステップＳ２０４の処理を実行するか否かを判定してもよい。ＵＥ１００は、当該タイマが満了した場合に、ステップＳ２０４の処理を実行すると判定してもよい。ＵＥ１００は、ＷＬＡＮ３０経由でのデータの送信が成功した場合に、タイマをリセット及び（再）スタートしてもよい。ＵＥ１００は、ＡＰ３００（又はＷＴ６００）からＡＣＫを受信した場合に、ＷＬＡＮ３０経由でのデータの送信が成功したと判定してもよい。ＵＥ１００は、タイマの設定値（遅延時間の閾値）をｅＮＢ２００により設定されてもよい。ｅＮＢ２００は、個別シグナル（例えば、ＲＲＣ  Ｃｏｎｎｅｃｔｉｏｎ  Ｒｅｃｏｎｆｉｇｕｒａｔｉｏｎ）又は共通シグナル（例えば、ＳＩＢ：Ｓｙｓｔｅｍ  Ｉｎｆｏｒｍａｔｉｏｎ  Ｂｌｏｃｋ）によりタイマの設定値をＵＥ１００へ送信してもよい。ｅＮＢ２００は、ＬＷＡの設定情報にタイマの設定値を含めてもよい。
【０１３７】
ＵＥ１００は、ＵＥ１００におけるＷＬＡＮ３０経由でのデータの受信状況に応じて、ステップＳ２０４の処理を実行するか否かを判定してもよい。ＵＥ１００は、第１実施形態のｅＮＢ２００と同様に、下りリンクでのｅＮＢ２００からのＷＬＡＮデータが遅延している場合、ステップＳ２０４の処理を実行してもよい。ＵＥ１００は、上りリンクと下りリンクとで同一の周波数を利用している（ＴＤＤ：Ｔｉｍｅ  Ｄｉｖｉｓｉｏｎ  Ｄｕｐｌｅｘ）場合、下りリンクでのｅＮＢ２００からのＷＬＡＮデータ受信状況に応じて、ステップＳ２０４の処理を実行するか否かを判定してもよい。
【０１３８】
ＵＥ１００は、ＵＥ１００のＷＬＡＮエンティティが（ＵＥ１００のＬＷＡＡＰエンティティを経由して）ＵＥ１００のＰＤＣＰへ送るＷＬＡＮ経由でのデータの送信状況に応じて、ステップＳ２０４の処理を実行するか否かを判定してもよい。ＵＥ１００のＷＬＡＮエンティティは、ＷＬＡＮ経由でのデータの送信状況として、ＷＬＡＮ経由でのデータの送信が成功したことを示すサクセスフルデリバリーインティディケーションをＵＥ１００のＰＤＣＰへ送ってもよい。ＵＥ１００は、ＵＥ１００のＰＤＣＰでのサクセスフルデリバリーインティディケーションの受信状況に応じて、ステップＳ２０４の処理を実行するか否かを判定してもよい。
【０１３９】
ＵＥ１００のＬＷＡＡＰエンティティがＵＥ１００のＰＤＣＰへＷＬＡＮ経由でのデータの送信状況を送ってもよい。
【０１４０】
ステップＳ２０４において、ＵＥ１００は、ＰＤＣＰにおけるバッファステータス報告（ＢＳＲ）をｅＮＢ２００へ送信できる。従って、ＢＳＲは、ＷＬＡＮデータの通信状況（送信状況及び／又は受信状況）に応じてトリガされる。
【０１４１】
ＵＥ１００は、ＷＬＡＮ３０経由のみでデータを送信していた場合、ＵＥ１００のＰＤＣＰは、バッファ量（バッファステータス：ＢＳ）が０であることをＵＥ１００のＭＡＣへ通知する。ＵＥ１００のＰＤＣＰは、ＷＬＡＮデータの通信状況に応じて、ＬＴＥ経由で送信すべきデータの量（ＢＳ）を更新し、ＵＥ１００のＭＡＣへ通知する。ＵＥ１００は、更新されたＢＳに基づくＢＳＲをｅＮＢ２００へ送信してもよい。
【０１４２】
ＵＥ１００は、既にＢＳＲをｅＮＢ２００へ送信している場合であっても、ＷＬＡＮデータの通信状況に応じて更新されたＢＳを示すＢＳＲをｅＮＢ２００へ送信してもよい。
【０１４３】
ｅＮＢ２００は、ＢＳＲの受信に応じて、ＷＬＡＮデータの遅延を判定してもよい。
【０１４４】
ステップＳ２０５において、ＵＥ１００は、ＷＬＡＮデータの通信状況（送信状況及び／又は受信状況）をｅＮＢ２００へ送信する制御を実行してもよい。例えば、ＵＥ１００は、ＰＤＣＰステータス報告をｅＮＢ２００へ送信してもよい。ＵＥ１００は、ＰＤＣＰステータス報告のトリガ情報をｅＮＢ２００から受信してもよい。ｅＮＢ２００は、トリガ情報をＵＥ１００へ送信してもよい。トリガ情報は、例えば、ＷＬＡＮデータの未受信のデータ（パケット）の総数を示す情報であってもよい。ＵＥ１００は、ＷＬＡＮデータの未受信のデータの総数が閾値を越えた場合に、ＷＬＡＮデータの通信状況を送信してもよい。トリガ情報は、送信に成功したＬＴＥデータの最大ＳＮ値と送信に成功したＷＬＡＮデータの最大ＳＮ値との差の情報（閾値）であってもよい。ＵＥ１００は、送信に成功したＬＴＥデータの最大ＳＮ値と送信に成功したＷＬＡＮデータの最大ＳＮ値との差が閾値を超えた場合に、ＷＬＡＮデータの通信状況を送信してもよい。
【０１４５】
トリガ情報は、ステップＳ２０４のＢＳＲ送信に適用されてもよい。
【０１４６】
ＵＥ１００は、ステップＳ２０４でＢＳＲを送る代わりに、ステップＳ２０５の処理を実行してもよい。ＵＥ１００は、ステップＳ２０４の処理を実行しなくてよい。
【０１４７】
ステップＳ２０６において、ｅＮＢ２００は、ＢＳＲに基づいて、ＵＥ１００へ無線リソースを割り当てる。
【０１４８】
ステップＳ２０７において、ＵＥ１００は、ｅＮＢ２００から割り当てられた無線リソースを用いて、ＬＴＥ経由でデータを送信できる。ＵＥ１００は、所定時間が経過するまで、ＷＬＡＮ３０経由でデータを送信せずに、ｅＮＢ２００の無線リソースのみを用いて、データを送信する制御を実行してもよい。
【０１４９】
以上により、ＬＷＡ動作が実行されている場合において、ＵＥ１００は、ＷＬＡＮデータの通信状況に応じてデータの送信経路を決定することができる。これにより、リソースを有効活用しつつ、ＨＦＮ非同期の発生を抑制できる。
【０１５０】
［第３実施形態］
第３実施形態に係る動作について、図８及び図１１を用いて説明する。図１１は、第３実施形態に係る動作を説明するためのシーケンス図である。上述した各実施形態と同様の部分は、説明を省略するので、留意すべきである。
【０１５１】
第３実施形態では、ＬＷＡ動作が実行されている場合において、ＵＥ１００がハンドオーバを実行するケースについて説明する。
【０１５２】
図１１において、ＵＥ１００は、ｅＮＢ２００−１が管理する第１セルへ在圏している。ｅＮＢ２００−２は、ｅＮＢ２００−１に隣接する。ｅＮＢ２００−２は、第２セルを管理する。第２セルは、第１セルに隣接する。
【０１５３】
ステップＳ３０１は、ステップＳ１０１に対応する。ＵＥ１００は、ＷＬＡＮ３０経由（及びＬＴＥ経由）でデータをｅＮＢ２００へ送る。
【０１５４】
ステップＳ３０２において、ハンドオーバ手順が実行される。ＵＥ１００は、第１セル（ｅＮＢ２００−１：Ｓｏｕｒｃｅ  ｅＮＢ）から第２セルへ（ｅＮＢ２００−２：Ｔａｒｇｅｔ  ｅＮＢ）のハンドオーバを実行する制御を実行する。
【０１５５】
ｅＮＢ２００−１は、ハンドオーバ手順において、ステップＳ２０２と同様に、ｅＮＢ２００−１でのＷＬＡＮ３０経由でのデータの受信状況（ＷＬＡＮ受信状況）をＵＥ１００へ知らせてもよい。ｅＮＢ２００−１は、ＵＥ１００がｅＮＢ２００−２へハンドオーバを実行する前に、ＷＬＡＮ受信状況をＵＥ１００へ知らせることができる。すなわち、ｅＮＢ２００−１は、ハンドオーバによりＵＥ１００との通信が不能になる前に、（ＷＬＡＮ受信状況）をＵＥ１００へ知らせる。
【０１５６】
ｅＮＢ２００−１は、ハンドオーバの決定に応じて、ＷＬＡＮ受信状況をＵＥ１００へ知らせてもよい。ｅＮＢ２００−１は、ハンドオーバ要求メッセージの送信に応じて、ＷＬＡＮ受信状況をＵＥ１００へ知らせてもよい。ｅＮＢ２００−１は、ハンドオーバ要求承認メッセージ（Ｈａｎｄｏｖｅｒ  Ｒｅｑｕｅｓｔ  Ａｃｋ）の送信に応じて、ＷＬＡＮ受信状況をＵＥ１００へ知らせてもよい。ｅＮＢ２００−１は、ハンドオーバ要求承認メッセージの受信に応じてＵＥ１００へ送信する無線リソースを割り当てにＷＬＡＮ受信状況を含めてもよい。ｅＮＢ２００−１は、ハンドオーバ要求承認メッセージの受信に応じてＵＥ１００へ送信するＲＲＣ接続再設定メッセージにＷＬＡＮ受信状況を含めてもよい。
【０１５７】
その後、ハンドオーバ手順が完了する。
【０１５８】
ステップＳ３０３において、ＵＥ１００は、データを送信前に、第２セル（ｅＮＢ２００−２）へ送信すべきデータを決定する。ＵＥ１００は、未送信のデータだけでなく、送信済みのデータを送信すべきデータとして決定してもよい。
【０１５９】
ＵＥ１００は、ｅＮＢ２００から受信したＷＬＡＮ受信状況に応じて、第２セルへ送信すべきデータを決定してもよい。すなわち、ＵＥ１００は、既に送信されたデータのうち、ｅＮＢ２００が受信していないＷＬＡＮデータを送信（再送）すると決定してもよい。
【０１６０】
ＵＥ１００は、ＵＥ１００のＷＬＡＮエンティティが（ＵＥ１００のＬＷＡＡＰエンティティを経由して）ＵＥ１００のＰＤＣＰへ送るＷＬＡＮ経由でのデータの送信状況に応じて、第２セルへ送信すべきデータを決定してもよい。すなわち、ＵＥ１００は、ＵＥ１００のＷＬＡＮエンティティにおいて送信に成功していないＷＬＡＮデータを送信（再送）すると決定してもよい。ＵＥ１００は、ＷＬＡＮ経由でのデータの送信状況を、例えば、上述のサクセスフルデリバリーインティディケーションにより判定してもよい。
【０１６１】
ＵＥ１００は、決定したデータをｅＮＢ２００−２へ送信（再送）できる。
【０１６２】
以上により、ＵＥ１００は、ｅＮＢ２００−１への送信が完了しているデータ（パケット）をｅＮＢ２００−２へも送信することを避けることができる。ＵＥ１００は、ｅＮＢ２００−１がパケットを受け取れていないにも関わらず、受け取られていないパケットをＮＢ２００−２へ送信しないことを避けることができる。
【０１６３】
［第４実施形態］
第４実施形態に係る動作について、図８を用いて説明する。上述した各実施形態と同様の部分は、説明を省略するので、留意すべきである。
【０１６４】
第４実施形態では、ＬＷＡにより送られるパケットが送信時間の情報を含む。
【０１６５】
ＵＥ１００は、ＬＴＥ経由及びＷＬＡＮ３０経由のいずれか一方で第１のデータ（第１パケット）を送信し、ＬＴＥ経由及びＷＬＡＮ３０経由のいずれか他方で第１のデータに続く第２のデータ（第２パケット）を送信する制御を実行する。この場合、第２のデータは、第２のデータの送信時間の情報を含む。
【０１６６】
例えば、ＵＥ１００は、ＬＴＥ経由で第１パケット（ＳＮ＝ｘ）をｅＮＢ２００へ送信する。ＵＥ１００は、ＷＬＡＮ３０経由で第２パケット（ＳＮ＝ｘ＋１）をｅＮＢ２００へ送信する場合、第２パケットに第２のパケットの送信時間の情報を含める。
【０１６７】
送信時間の情報は、ＵＥ１００が第２のパケットを送信する時刻（タイムスタンプ）であってもよい。ＵＥ１００のＰＤＣＰから下位のエンティティ（例えば、ＵＥ１００のＬＷＡＡＰエンティティ、又はＵＥ１００のＷＬＡＮエンティティなど）に送られた時刻（タイムスタンプ）であってもよい。
【０１６８】
送信時間の情報は、第１のパケットを送信してから第２のパケットを送信するまでの時間（差）の情報であってもよい。
【０１６９】
ＵＥ１００は、ＷＬＡＮ３０経由で第１パケット（ＳＮ＝ｘ）をｅＮＢ２００へ送信し、ＬＴＥ経由で第２パケット（ＳＮ＝ｘ＋１）をｅＮＢ２００へ送信する場合も同様の処理を実行してもよい。
【０１７０】
ＵＥ１００は、データの送信経路が切り替えられる場合にのみ第２のパケットへ送信時間の情報を含めてもよい。
【０１７１】
これにより、ｅＮＢ２００は、送信時間の情報に基づいて、ＷＬＡＮデータの通信状況を把握することができる。
【０１７２】
ｅＮＢ２００が、ＵＥ１００と同様の処理を実行してもよい。これにより、ＵＥ１００は、ＷＬＡＮデータの通信状況を把握することができる。ＵＥ１００は、把握したＷＬＡＮデータの通信状況に基づいて、上述の各実施形態の動作を実行してもよい。
【０１７３】
［第５実施形態］
第５実施形態に係る動作について、図８を用いて説明する。上述した各実施形態と同様の部分は、説明を省略するので、留意すべきである。
【０１７４】
第５実施形態では、ＬＷＡにおいて、ＵＥ１００の送信データ量に基づいて、データの送信経路が切り替えられる。
【０１７５】
図８において、ＵＥ１００は、ＵＥ１００のＰＤＣＰエンティティにおける送信データの量が第１閾値未満である場合、ＬＴＥ経由及びＷＬＡＮ３０経由の一方でのみデータを送信する制御を実行できる。
【０１７６】
例えば、ＵＥ１００のＰＤＣＰは、送信データの量が第１閾値未満である場合、ｅＮＢ２００からの設定に基づいて、（ＵＥ１００のＬＷＡＡＰエンティティを経由して）データをＵＥ１００のＷＬＡＮエンティティのみへ送ってもよい。従って、ＵＥ１００は、データの送信方向がＷＬＡＮ３０である場合、かつ、送信データの量が第１閾値未満である場合、ｅＮＢ２００（ＬＴＥ）へ送信できなくてもよい。
【０１７７】
ＵＥ１００のＰＤＣＰは、送信データの量が第１閾値未満である場合、データをＵＥ１００のＬＴＥエンティティのみへ送ってもよい。従って、ＵＥ１００は、データの送信方向がＬＴＥである場合、かつ、送信データの量が第１閾値未満である場合、ＷＬＡＮ３０へ送信できなくてもよい。
【０１７８】
このように、ＵＥ１００は、一方のエンティティ（ＷＬＡＮエンティティ又はＬＴＥエンティティ）のみを使用するため、処理負荷を軽減できる。その結果、ＵＥ１００の消費電力を削減することができる。
【０１７９】
ＵＥ１００は、送信データの量が第１閾値以上である場合、ｅＮＢ２００からの設定に基づいて、ＬＴＥ経由及びＷＬＡＮ３０経由の両方でデータを送信する制御を実行できる。
【０１８０】
例えば、ＵＥ１００は、送信データの量が第１閾値以上である場合、データの送信方向がＷＬＡＮ３０に設定されていても、ＷＬＡＮ３０経由だけでなく、ＬＴＥ経由でデータを送信することができる。ＵＥ１００は、送信データの量が第１閾値以上である場合、データの送信方向がＬＴＥに設定されていても、ＬＴＥ経由だけでなく、ＷＬＡＮ３０経由でデータを送信することができる。
【０１８１】
第１閾値は、ｅＮＢ２００により設定されてもよい。第１閾値は、ベアラ毎に設定されてもよい。
【０１８２】
ＵＥ１００は、ＷＬＡＮ３０経由でのみデータを送信する場合、ＰＤＣＰにデータが存在していたとしても、ＵＥ１００のＭＡＣにＰＤＣＰにデータが存在しないことを知らせる制御を実行してもよい。従って、ＵＥ１００のＰＤＣＰは、バッファ量（バッファステータス：ＢＳ）が０であることをＵＥ１００のＭＡＣへ通知してもよい。従って、ＵＥ１００は、ＷＬＡＮ３０経由でのみデータを送信する場合、すなわち、データの送信方向がＷＬＡＮ３０に設定されている場合、ｅＮＢ２００へのＢＳＲの送信を省略してもよい。ＵＥ１００は、データの送信方向がＷＬＡＮ３０に設定され、かつ、バッファ量（送信データの量）が第１閾値未満である場合、ｅＮＢ２００へのＢＳＲの送信を省略してもよい。ＵＥ１００は、ＢＳＲがトリガされた（ＢＳＲのトリガ条件が満たされた）場合であっても、ＢＳＲの送信を省略してもよい。例えば、ＵＥ１００は、周期的なＢＳＲの送信を省略してもよい。これにより、不必要なシグナリングを削減できる。
【０１８３】
ＵＥ１００は、データの送信方向がＷＬＡＮ３０に設定され、かつ、バッファ量（送信データの量）が第１閾値以上である場合、ｅＮＢ２００へのＢＳＲを送信してもよい（又はＢＳＲの送信を開始してもよい）。ＵＥ１００は、データの送信方向がＷＬＡＮ３０に設定され、かつ、バッファ量（送信データの量）が第１閾値以上である場合、ｅＮＢ２００へのＢＳＲがトリガされた（トリガ条件が満たされた）と判定してもよい。ｅＮＢ２００は、ＵＥ１００からのＢＳＲに基づいて、ＬＴＥ経由でデータを送信するための無線リソースをＵＥ１００へ割り当ててもよい。
【０１８４】
ＵＥ１００は、ＬＴＥ経由でのみデータを送信する場合、ＰＤＣＰにデータが存在していたとしても、ＵＥ１００のＷＬＡＮエンティティ（又はＵＥ１００のＬＷＡＡＰエンティティ）にＰＤＣＰにデータが存在しないことを知らせる制御を実行してもよい。ＵＥ１００のＬＷＡＡＰエンティティは、ＰＤＣＰ（ＬＷＡＡＰ）にデータが存在しないことを知らせてもよい。従って、ＵＥ１００のＰＤＣＰは、バッファ量（バッファステータス：ＢＳ）が０であることを（ＵＥ１００のＬＷＡＡＰエンティティを経由して）ＵＥ１００のＷＬＡＮエンティティへ通知してもよい。或いは、ＵＥ１００は、ＬＴＥ経由でのみデータを送信する場合、ＵＥ１００のＷＬＡＮエンティティ（又はＵＥ１００のＬＷＡＡＰエンティティ）への通知を省略してもよい。
【０１８５】
以上により、ＵＥ１００は、送信データの量が少ない（送信データの量が第１閾値未満である）場合には、受信側（ｅＮＢ２００）での順序保持処理による時間遅延を防ぐことができる。さらに、ｅＮＢ２００の処理負荷を低減できる。一方で、送信データの量が第１閾値以上である場合、ｅＮＢ２００及びＷＬＡＮのリソースを有効活用できる。
【０１８６】
（第５実施形態の変更例）
第５実施形態の変更例に係る動作について、図８及び図１２を用いて説明する。図１２は、第５実施形態の変更例に係る動作を説明するための図である。上述した各実施形態と同様の部分は、説明を省略するので、留意すべきである。
【０１８７】
第５実施形態の変更例では、ＬＷＡとＤＣ（Ｄｕａｌ  Ｃｏｎｎｅｃｔｉｖｉｔｙ）とが実行される。
【０１８８】
図１２では、ＵＥ１００は、ｅＮＢ２００により、ＬＷＡとＤＣとが設定（コンフィグ）される。ＵＥ１００には、ＤＣにおけるスプリットベアラが設定されている。スプリットベアラは、ＤＣにおいて、ＭｅＮＢ（ｅＮＢ２００−１）及びＳｅＮＢ（ｅＮＢ２００−２）のリソースを用いるために、ＭｅＮＢとＳｅＮＢとの両方に無線プロトコルが位置するベアラである。
【０１８９】
従って、ＵＥ１００は、ｅＮＢ２００−１と、ｅＮＢ２００−２との少なくとも一方にデータを送信する。ｅＮＢ２００−２は、ＵＥ１００からのデータをｅＮＢ２００−１へ送る（転送する）。
【０１９０】
ＤＣは、マスタセルグループ（ＭＣＧ）とセカンダリセルグループ（ＳＣＧ）とが設定されている、ＲＲＣ接続状態のＵＥ１００の動作モードである。マスタセルグループは、ＤＣにおいて、ＭｅＮＢに関連付けられたサービングセルのグループであり、ＰＣｅｌｌとオプション的に１以上のＳＣｅｌｌとにより構成される。セカンダリセルグループは、ＳｅＮＢに関連付けられたサービングセルのグループであり、ＰＳＣｅｌｌとオプション的に１以上のＳＣｅｌｌとにより構成される。ＳｅＮＢは、ＤＣにおいて、ＵＥ１００のために追加的な無線リソースを提供するがＭｅＮＢではないｅＮＢ（ｅＮＢ２００−２）である。
【０１９１】
ＵＥ１００は、上述と同様に、ＬＷＡにより、ＬＴＥ経由及びＷＬＡＮ３０経由の少なくとも一方で、ｅＮＢ２００−１へデータを送信する。
【０１９２】
このケースにおいて、ＵＥ１００は、上述の第１の閾値だけでなく、第２の閾値を用いてデータの送信を制御する。
【０１９３】
ＵＥ１００は、ＵＥ１００のＰＤＣＰエンティティにおける送信データの量が第２閾値未満である場合、ｅＮＢ２００−１及びｅＮＢ２００−２の一方にのみデータを送信する制御を実行できる。
【０１９４】
例えば、ＵＥ１００のＰＤＣＰは、送信データの量が第２閾値未満である場合、ｅＮＢ２００−１からの設定に基づいて、（ＵＥ１００のＬＷＡＡＰエンティティを経由して）データをＵＥ１００のＷＬＡＮエンティティのみへ送る。或いは、ＵＥ１００のＰＤＣＰは、送信データの量が第１閾値未満である場合、データをＵＥ１００のＬＴＥエンティティのみへ送る。
【０１９５】
ＵＥ１００は、送信データの量が第２閾値以上である場合、ｅＮＢ２００からの設定に基づいて、ｅＮＢ２００−１及びｅＮＢ２００−２の一方にのみデータを送信する制御を実行できる。
【０１９６】
「送信データ量＞第１閾値（ＬＷＡ）＞第２閾値（ＤＣ）」又は「送信データ量＞第２閾値（ＤＣ）＞第１閾値（ＬＷＡ）」を満たす場合、ＵＥ１００は、ＬＴＥ経由及びＷＬＡＮ３０経由でデータを送ることができる。ＵＥ１００は、ｅＮＢ２００−１（ＭＣＧ）とｅＮＢ２００−２（ＳＣＧ）との両方の無線リソースを用いて、データを送ることができる。
【０１９７】
「第１閾値（ＬＷＡ）＞送信データ量＞第２閾値（ＤＣ）」を満たす場合、ＵＥ１００は、ＷＬＡＮ３０経由でのみデータを送ることができる。或いは、ＵＥ１００は、ＬＴＥ経由でのみデータを送る場合、ｅＮＢ２００−１（ＭＣＧ）とｅＮＢ２００−２（ＳＣＧ）との両方の無線リソースを用いて、データを送ることができる。
【０１９８】
「第１閾値（ＬＷＡ）＞第２閾値（ＤＣ）＞送信データ量」又は「第２閾値（ＤＣ）＞送信データ量＞第１閾値（ＬＷＡ）」を満たす場合、ＵＥ１００は、ＷＬＡＮ３０経由でのみデータを送ることができる。或いは、ＵＥ１００は、ＬＴＥ経由でのみデータを送る場合、ｅＮＢ２００−１（ＭＣＧ）とｅＮＢ２００−２（ＳＣＧ）との一方の無線リソースのみを用いて、データを送ることができる。
【０１９９】
「第２閾値（ＤＣ）＞送信データ量＞第１閾値（ＬＷＡ）」を満たす場合、ＵＥ１００は、ＵＥ１００は、ＬＴＥ経由及びＷＬＡＮ３０経由でデータを送ることができる。ＵＥ１００は、ＬＴＥ経由でデータを送る場合、ｅＮＢ２００−１（ＭＣＧ）とｅＮＢ２００−２（ＳＣＧ）との一方の無線リソースのみを用いて、データを送ることができる。
【０２００】
第２閾値は、ｅＮＢ２００により設定されてもよい。第２閾値は、ベアラ毎に設定されてもよい。従って、同一のベアラに第１閾値と第２閾値とが設定されてもよい。
【０２０１】
ＵＥ１００は、上述の第１の閾値だけでなく、第２の閾値を用いてデータの送信を制御することにより、ｅＮＢ２００及びＷＬＡＮのリソースをさらに有効活用できる。
【０２０２】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０２０３】
上述した各実施形態では、ＬＷＡにおいて、ＷＬＡＮ３０経由のデータが、Ｘｗインターフェイスを介して、ｅＮＢ２００とＷＴ６００との間で送られるケース（いわゆる、非コロケ−シッドシナリオ）について説明した。しかしながら、コロケ−シッドシナリオにおいても、上述と同様の動作が実行されてもよい。コロケーティッドシナリオでは、ｅＮＢ２００が、ＷＬＡＮ３０の無線リソースを用いて、ＵＥ１００のデータを送信及び／又は受信できる。ｅＮＢ２００内にＷＬＡＮ機能が設けられる。従って、ｅＮＢ２００がＡＰ３００（又はＷＴ６００）の動作を実行することが可能である。
【０２０４】
上述した各実施形態において、ＵＥ１００内にＬＷＡＡＰエンティティが存在していたが、これに限られない。ＵＥ１００内にＬＷＡＡＰエンティティが存在していなくてもよい。ＬＷＡＡＰエンティティの機能を他のエンティティが有していてもよい。ＵＥ１００のＰＤＣＰエンティティとＷＬＡＮエンティティ（例えば、ＷＬＡＮ  ＭＡＣ）とは、ＬＷＡＡＰエンティティを介して、データのやり取りを行ってもよい。ＵＥ１００のＰＤＣＰエンティティとＷＬＡＮエンティティ（例えば、ＷＬＡＮ  ＭＡＣ）とは、ＬＷＡＡＰエンティティを介さずに、データのやり取りを直接行ってもよい。
【０２０５】
上述した各実施形態（例えば、第５実施形態）において、ＵＥ１００のＰＤＣＰは、実際のバッファ量を、ＵＥ１００のＷＬＡＮエンティティへ知らせてもよい。
【０２０６】
例えば、ＵＥ１００のＰＤＣＰは、ｅＮＢ２００−１へのＢＳＲがトリガされた場合に、ＵＥ１００のＷＬＡＮエンティティへＢＳを通知してもよい。すなわち、ＵＥ１００がＢＳＲをｅＮＢ２００へ送信する場合に、ＵＥ１００のＰＤＣＰは、ＵＥ１００のＷＬＡＮエンティティへＢＳを通知してもよい。
【０２０７】
ＵＥ１００のＰＤＣＰは、ＷＬＡＮエンティティからの問い合わせに応じて、ＵＥ１００のＷＬＡＮエンティティへＢＳを通知してもよい。ＵＥ１００のＰＤＣＰは、ＬＷＡＡＰエンティティからの問い合わせに応じて、ＵＥ１００のＷＬＡＮエンティティへＢＳを通知してもよい。
【０２０８】
ＵＥ１００のＰＤＣＰは、データの送信方向がＷＬＡＮ３０に設定されている場合にのみ、ＵＥ１００のＷＬＡＮエンティティへＢＳを通知してもよい。ＵＥ１００のＰＤＣＰは、送信データの量が第１閾値以上である場合にのみ、ＵＥ１００のＷＬＡＮエンティティへＢＳを通知してもよい。すなわち、ＵＥ１００は、ＷＬＡＮ３０経由でデータを送信する又は送信する可能性がある場合にのみ、ＵＥ１００のＷＬＡＮエンティティへＢＳを通知してもよい。よって、ＵＥ１００は、ＷＬＡＮ３００経由でデータを送信する可能性がない又は送信しない（すなわち、ＬＴＥ経由でのみデータを送信する）場合は、ＵＥ１００のＷＬＡＮエンティティにＢＳを通知しない。
【０２０９】
ＷＬＡＮエンティティは、ＢＳに基づいて、適切な送信方式を決定することができる。例えば、ＵＥ１００のＷＬＡＮエンティティは、送信データ量の情報をネットワーク側のＷＬＡＮエンティティへ通知してもよい。送信データ量の情報は、ＵＥ１００のＷＬＡＮエンティティ（例えば、ＷＬＡＮ  ＭＡＣエンティティ）内にバッファされている第１送信データ量と、ＢＳにより示される第２送信データ量とを含む。送信データ量の情報は、第１送信データ量と第２送信データ量とが加算された値を含んでもよい。ネットワーク側のＷＬＡＮエンティティは、送信データ量の情報に基づいて、ＵＥ１００（ＷＬＡＮエンティティ）が送信に用いる無線リソース、変調方式、符号化率などのスケジューリングを行ってもよい。
【０２１０】
ネットワーク側のＷＬＡＮエンティティは、ＷＴ６００内のＷＬＡＮエンティティであってもよい。ＡＰ３００内のＷＬＡＮエンティティであってもよい。
【０２１１】
上述した各実施形態に係る動作は、適宜組み合わせて実行されてもよい。上述した各実施形態において、ＵＥ１００、ｅＮＢ２００及びＷＴ６００の動作を一連のシーケンスで説明したが、一部の動作のみが実行され、全ての動作が実行されなくてもよい。
【０２１２】
上述した各実施形態では特に触れていないが、上述した各ノード（ＵＥ１００、ｅＮＢ２００、ＡＰ３００、ＷＴ６００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２１３】
或いは、ＵＥ１００、ｅＮＢ２００及びＷＴ６００などのいずれかが行う各処理を実行するためのプログラムを記憶するメモリ及びメモリに記憶されたプログラムを実行するプロセッサによって構成されるチップが提供されてもよい。
【０２１４】
上述した各実施形態では、移動通信システムの一例としてＬＴＥシステムを説明したが、本開示内容は、ＬＴＥシステムに限定されるものではない。本開示内容は、ＬＴＥシステム以外のシステムに適用されてもよい。
【０２１５】
［付記］
（Ａ）付記１
（Ａ１）導入
承認されたｅＬＷＡ（ｅｎｈａｎｃｅｄ  ＬＷＡ）  ＷＩ（Ｗｏｒｋ  Ｉｔｅｍ）の目的の１つは、ＬＷＡアーキテクチャを変更せずにＬＷＡの上りデータ送信を可能にすることである。この付記では、上り送信がどのように達成されるかについて検討する。
【０２１６】
（Ａ２）検討
既存のＬＷＡは、二重接続（ｄｕａｌ  ｃｏｎｎｅｃｔｉｖｉｔｙ）ソリューションの多くに基づいている。二重接続の上り送信は、既にＲｅｌ−１３で明確化されているため、ｅＬＷＡのソリューションを再利用する機会も有する。
【０２１７】
提案１：拡張ＬＡＷにおける上り送信では、二重接続のためのソリューションを再利用すべきである。
【０２１８】
（Ａ２．１）スプリットベアラ
（Ａ２．１．１）閾値
Ｒｅｌ−１３の二重接続拡張は、上りスプリットベアラの閾値が導入する。この閾値は、送信のためのデータ量が大きいか小さいかを評価するためにＵＥによって使用される。ＵＬ許可（ＵＬグラント）の受信時にデータ量が設定された閾値より大きい場合、ＵＥはＭＣＧとＳＣＧとの両方にデータを送信できる。データ量が小さい場合、ＵＥは設定されたＣＧ（ＭＣＧ又はＳＣＧ）に向けてデータを送信できる。ｅＬＷＡでは、データ送信のためのこのメカニズムも考慮するべきである。
【０２１９】
既存の仕様では、ＲＲＣの無線ベアラ毎に閾値が設定される。ｅＬＷＡのためにこのメッセージを再利用することが可能であってもよい。
【０２２０】
提案２：拡張ＬＷＡにおける上り送信には、閾値を適用すべきである。
【０２２１】
提案２が賛成される場合には、データ量が閾値よりも小さい場合にＵＥがデータを送信する方向は、ＮＷによって制御可能でなければならない。これは、例えば、二重接続のようにｕｌ−ＤａｔａＳｐｌｉｔＤＲＢ−ＶｉａＷＬＡＮを導入することにより、達成可能である。
【０２２２】
提案３：データ量が閾値より小さいときにＵＥがデータを送信する方向は、ＮＷによって制御可能でなければならない。
【０２２３】
現在のＰＤＣＰ仕様によれば、ＵＥは、ＬＴＥ−ＭＡＣエンティティ又は複数のＬＴＥ−ＭＡＣエンティティへの送信に利用可能なデータ量を示さなければならない。データ量が閾値より小さくなった場合、ＵＥは、送信されるように設定されていない複数のＬＴＥ−ＭＡＣエンティティの１つへ、データ量を０として示すべきである。この示し（インディケーション）の主な目的は、ＢＳＲトリガとバッファサイズの計算である。当該示しがＷＬＡＮにより、どのように用いられるかははっきりしていないが、到着データサイズを示すことは有益である可能性が高い。さらに、閾値メカニズムを用いてデータ量をマスクする（すなわち、データを０として示す）ことは、送信方向を制御するために有用である可能性がある。
【０２２４】
提案４：ＩＥＥＥ  ＭＡＣ層が送信のために利用可能なデータを知るべきかどうかについて検討するべきである。
【０２２５】
提案５：データ量が小さく、かつ、送信方向がＬＴＥに送信されるように設定されている場合、ＵＥがＩＥＥＥ  ＭＡＣに対して利用可能なデータを０として示すべきかどうかを検討すべきである。
【０２２６】
（Ａ２．１．２）ＰＤＣＰ  ＰＤＵの成功した配信（Ｓｕｃｃｅｓｓｆｕｌ  ｄｅｌｉｖｅｒｙ）
ＰＤＣＰ仕様によれば、上り送信に関して、「例えば、ＰＤＣＰ  ＳＤＵが肯定応答なしで破棄されたり送信されたりする場合、ＨＦＮ（Ｈｙｐｅｒ  Ｆｒａｍｅ  Ｎｕｍｂｅｒ）非同期問題を引き起こす可能性がある」という注意がある。
【０２２７】
しかしながら、ＷＬＡＮ仕様のいずれかがこのような指示をサポートするかどうかは明らかではない。ＵＥが成功した配信を知るための２つの選択肢がある。
【０２２８】
・選択肢１：ＵＥは、ＷＬＡＮを介して自動的に成功した配信を確認する。
【０２２９】
・選択肢２：ｅＮＢはＬＴＥを介してフィードバックを送る。
【０２３０】
・選択肢１を達成するために、可能な方法は、ＷＬＡＮが各パケットの成功した配信を示すことをＩＥＥＥが確認することである。選択肢１の他の方法は、ＩＥＥＥ仕様を変更せずに、ＵＥ（ＬＷＡＡＰ）がＷＬＡＮの動作をただモニタすることであるが、これは不確かな方法である。
【０２３１】
ＩＥＥＥなどの他のグループとのコラボレーションが不要なため、選択肢２は、選択肢１よりも仕様化し易い。しかし、この選択肢の欠点は、シグナリングオーバーヘッドの増加である。
【０２３２】
提案６：ＷＬＡＮを介した各ＰＤＣＰ  ＰＤＵの成功した配信をＵＥがどのように認識するかについて検討するべきである。
【０２３３】
（Ａ２．２）スイッチベアラ
このＷＩの目的の１つは、上りスイッチベアラを明確にすることである。Ｒｅｌ−１３  ＬＷＡでは、ＵＥ設定（コンフィグレーション）なくＮＷ実装によってスイッチベアラ動作が達成可能であるため、データ送信の方向は、ＮＷ次第である。しかしながら、上り送信に関して、ＮＷが、ＷＬＡＮのみを介して配信されるデータを期待するのか、ＬＴＥとＷＬＡＮとの両方へ配信されるデータを期待するのか、をＵＥは理解できない。ＵＥがＷＬＡＮのみを介して上りデータを送信することを保証するためには、ＮＷが方向を設定（コンフィグ）することが必要である。明示的または間接的な設定を行うには、以下のオプションがある。
【０２３４】
・明示的な設定：ｅＮＢは、新しいベアラタイプ、例えば、ｄｒｂ−ＴｙｐｅＳｗｉｔｃｈＬＷＡを用いて、ＵＥを設定（コンフィグ）する。
【０２３５】
・間接的な設定：ｅＮＢは、ＬＷＡスプリットベアラに関して無限大の（または十分に大きい）閾値を用いて、ＵＥを設定（コンフィグ）する。
【０２３６】
上りＬＷＡ送信のために閾値メカニズムが導入される場合、新しいｄｒｂタイプ（ｄｒｂ−ｔｙｐｅ）を導入することなくスイッチベアラの設定（コンフィグレーション）が達成可能である。データ量は無限大の閾値より決して大きくないので、データ方向は、常に一方向（ＷＬＡＮ）に制限される。これは、スイッチベアラ設定（コンフィグレーション）に等しい。
【０２３７】
明示的または暗黙的な設定を選択しても、機能する。第１に、ＲＡＮ２はスイッチベアラに設定が必要であることに同意する必要がある。
【０２３８】
提案７：ＵＥがＷＬＡＮのみを介して上りデータを送信できることを確認するために、ｅＮＢは、スイッチドベアラについてデータ方向を設定（コンフィグ）すべきである。
【０２３９】
（Ａ３）アネックス（潜在的な問題）
（プッシュ（Ｐｕｓｈ）／プル（Ｐｕｌｌ））
ＬＴＥでは、プルモデルは、二重接続において前提とされる一方、プッシュモデルはＷＬＡＮのベースラインである。
【０２４０】
プルモデルとは、下位層からの要求に応じてパケットが配信されることを意味する。これは、「下位層からの要求に応じて、ＰＤＣＰ  ＰＤＵを下位層へ提出する場合」と記述される。
【０２４１】
一方、ＷＬＡＮは基本的にスケジューリングレスシステムであり、すなわち、ＩＥＥＥ  ＭＡＣ上のＩＰ層が、「送信可能なデータ」を示さず、かつ、そのプロトコルスタックを考慮して、高度なＷＬＡＮにも適用可能である。ＷＬＡＮに関して、「プッシュ」のようなモデルが想定され、ＩＥＥＥ  ＭＡＣは、ＰＤＵ（パケット）が来たときにのみ送信の準備を開始する。
【０２４２】
例えば、以下のように、これについて考える方法がいくつかある。
【０２４３】
・ＰＤＣＰ  ＰＤＵをＷＬＡＮ  ＭＡＣへプッシュする方法を検討する
・上位層に「要求」を送信するためにＩＥＥＥ仕様の変更
・（ＵＥ実装に依存して）すべてを不明瞭にするために「下位層からの要求に応じて」を削除
【０２４４】
いずれにせよＬＷＡＡＰの拡張が必要になる可能性がある。
【０２４５】
（自律的な再ルーティング）
スイッチドベアラ（方向としてＷＬＡＮ）がコンフィグされる場合にはいつでも、ＬＴＥ向けのＢＳＲが許可されないかどうかを決定する必要がある。例えば、ＵＬデータがスタックされる場合、ＵＬ経路が復旧する前に（すなわちＬＴＥに向けて再設定されるために）何らかのメカニズムが必要である。この方法は、スプリットベアラ設定における例外的なケースにも適用可能である。
【０２４６】
ＵＥがそのようなＷ−ＲＬＦ（ＷＬＡＮ−Ｒａｄｉｏ  Ｌｉｎｋ  Ｆａｉｌｕｒｅ：ＷＬＡＮ無線リンク障害）をＭＣＧに報告しなければならず、その後ＭＣＧがＵＥにＵＬリソースを割り当てる可能であると仮定できる。あるいは、もしかすると、ＵＥは自律的にＢＳＲをＭＣＧに送ることができる（たとえ、サポートされていなくても）が、これは、ＵＥがＷ−ＲＬＦを経験したことをＭＣＧに暗示するものである。
【０２４７】
（Ｂ）付記２
（Ｂ１）導入
ｅＬＷＡ  ＷＩの目的の１つは、現在のＬＷＡアーキテクチャを変更せずにＬＷＡベアラ上での上りデータ送信を可能にすることである。この付記では、上り送信がどのように達成されるかについてさらに検討する。
【０２４８】
（Ｂ２）検討
既存のＬＷＡは、二重接続ソリューション（例えば、ＰＤＣＰ層でのスプリットベアラ）の多くに基づいている。二重接続の上り送信は、既にＲｅｌ−１３で明確化されているため、ｅＬＷＡのソリューションを再利用する機会も有する。
【０２４９】
提案１：拡張ＬＡＷにおける上り送信では、できる限り、二重接続のためのソリューションを再利用すべきである。
【０２５０】
（Ｂ２．１））スプリットＬＷＡベアラ
（Ｂ２．１．１）閾値
Ｒｅｌ−１３の二重接続拡張は、上りスプリットベアラの閾値が導入し、それによって、この閾値は、送信のためのデータ量が大きいか小さいかを評価するためにＵＥによって使用される。データ量が設定された閾値より大きい場合、ＵＥはＭＣＧとＳＣＧとの両方にデータを送信でき、すなわち、ＵＥは、ＵＬ許可の受信に応じて両方のＣＧに向けてデータを送信する機会を有する。そうでなければ、ＵＥは、設定されたＣＧにＢＳＲを送るだけであり、従って、ＣＧ（ＭＣＧ又はＳＣＧ）に向けてのみデータを送信する可能性がある。ｅＬＷＡでは、ＢＳＲトリガ及びデータ送信のためのこのメカニズムも考慮するべきである。
【０２５１】
ｅＬＷＡでは、「ＬＴＥバッファステータス情報がＷＬＡＮリンク上で報告されない」ことが合意された。従って、二重接続のようなダブルＢＳＲはもはや必要ない。しかしながら、例えば、方向がＷＬＡＮへ設定され、データ量が閾値よりも小さい場合、ＵＥがＬＴＥに向けてＢＳＲを送信する必要はなく、ＬＴＥに向けた不要なＢＳＲを制限するために閾値を使用することができるように、二重接続の概念の一部を保持することはまだ価値がある。さらに、例えば、方向がＬＴＥへ設定されている場合、データ量が閾値よりも小さい限り、ＵＥは、ＷＬＡＮに向けてデータを送信しなくてもよく、不必要なＵＥの電力消費を回避することも可能とすべきである。
【０２５２】
二重接続に関する既存の仕様では、ＲＲＣの無線ベアラ毎に閾値が設定される。ｅＬＷＡのためにこのメッセージを再利用することが可能であってもよい。
【０２５３】
提案２：ＢＳＲトリガ及び上り送信のためのベアラ毎の閾値は、拡張ＬＷＡにも適用可能とすべきである。
【０２５４】
提案２が賛成される場合には、データ量が閾値よりも小さい場合にＵＥが上りデータを送信する方向は、ＮＷによって制御可能でなければならない。これは、例えば、二重接続のようにｕｌ−ＤａｔａＳｐｌｉｔＤＲＢ−ＶｉａＷＬＡＮを導入することにより、達成可能である。
【０２５５】
提案３：データ量が閾値より小さいときにＵＥがデータを送信する方向は、ＮＷによって制御可能でなければならない。
【０２５６】
現在のＰＤＣＰ仕様によれば、ＵＥは、ＬＴＥ−ＭＡＣエンティティ又は複数のＬＴＥ−ＭＡＣエンティティへの送信に利用可能なそのデータ量を示さなければならない。データ量が閾値より小さくなった場合、ＵＥは、送信されるように設定されていない複数のＬＴＥ−ＭＡＣエンティティの１つへ、データの量を０として示すべきである。この示し（インディケーション）の主な目的は、ＢＳＲトリガとバッファサイズの計算である。ｅＬＷＡでは、「ＬＴＥバッファステータス情報がＷＬＡＮリンク上で報告されない」ことは既に合意されているが、ＯＦＤＭＡが最新のＷＬＡＮ、すなわち、８０２．１１ａｘでサポートされる予定なので、ＵＥ内のＩＥＥＥ  ＭＡＣレイヤが、そのＰＤＣＰレイヤのバッファステータス情報を必要とするかどうかは依然として明確ではない。ｅＬＷＡは、異なる組織、すなわちＰＤＣＰ／ＬＷＡＡＰとＷＬＡＮ  ＭＡＣ／ＰＨＹとにおいて仕様化された層間でのインターアクションを必要とし得るので、標準は、ＵＥ内のンターアクション考慮に入れるべきである。それがＵＥ実装の視点からの柔軟性を可能にすると考える。
【０２５７】
提案４：：ＰＤＣＰ層が、ＵＥ内の送信のために利用可能なデータをＩＥＥＥ  ＭＡＣ層へ通知すべきかどうかについて検討するべきである。
【０２５８】
提案５：データ量が閾値よりも小さく、かつ、送信方向がＬＴＥに送信されるように設定されている場合、ＰＤＣＰ層が、ＩＥＥＥ  ＭＡＣに対して送信利用可能なデータを０として示すべきかどうかも検討すべきである。
【０２５９】
（Ｂ２．１．２）ＰＤＣＰ  ＰＤＵの成功した配信（Ｓｕｃｃｅｓｓｆｕｌ  ｄｅｌｉｖｅｒｙ）
ＰＤＣＰ仕様によれば、二重接続の上り送信に関して、「例えば、ＰＤＣＰ  ＳＤＵが肯定応答なしで破棄されたり送信されたりする場合、ＨＦＮ（Ｈｙｐｅｒ  Ｆｒａｍｅ  Ｎｕｍｂｅｒ）非同期問題を引き起こす可能性がある」という注意がある。
【０２６０】
しかしながら、ＷＬＡＮ仕様のいずれかがこのような指示をサポートするかどうかは明らかではない。ＵＥが成功した配信を知るための２つの選択肢がある。
【０２６１】
・選択肢１：ＵＥは、ＷＬＡＮを介して自動的に成功した配信を確認する。
【０２６２】
・選択肢２：ｅＮＢはＬＴＥを介してフィードバックを送る。
【０２６３】
・選択肢１を実現するために、可能性の一つは、ＷＬＡＮが各パケットの成功した配信を示すことをＩＥＥＥに保証させることである。他の可能性は、ＩＥＥＥ仕様を変更せずに、ＵＥ（ＬＷＡＡＰ）がＷＬＡＮの動作をただモニタすることである。
【０２６４】
ＩＥＥＥなどの他のグループとのコラボレーションが不要なため、選択肢２は、仕様化の影響の観点から、選択肢１よりも長所を有する。しかし、この選択肢の欠点は、ＬＴＥ  Ｕｕリンク上でのシグナリングオーバーヘッドの増加である。
【０２６５】
提案６：ＷＬＡＮを介した各ＰＤＣＰ  ＰＤＵの成功した配信をＵＥがどのように認識するかについて検討するべきである。
【０２６６】
（Ｂ２．２）スイッチドＬＷＡベアラ
このＷＩの目的の１つは、上りスイッチドＬＷＡベアラを明確にすることである。Ｒｅｌ−１３  ＬＷＡでは、ＵＥ設定（コンフィグレーション）なくＮＷ実装によって同等のスイッチドベアラ動作が達成可能であるため、下りデータ送信の方向は、ＮＷ次第である。しかしながら、上り送信に関して、ＮＷが、ＷＬＡＮのみを介して上りデータが配信されるべきことを期待するのか、ＬＴＥとＷＬＡＮとの両方へ上りデータが配信されるべきことを期待するのか、をＵＥは理解しなくてもよい。ＵＥがＷＬＡＮのみを介して上りデータを送信することを保証するためには、以下のように、ＮＷが、明示的又は間接的に方向を設定（コンフィグ）することが必要である。
【０２６７】
・明示的な設定：ｅＮＢは、新しいベアラタイプ、例えば、ｄｒｂ−ＴｙｐｅＳｗｉｔｃｈＬＷＡを用いて、ＵＥを設定（コンフィグ）する。
【０２６８】
・間接的な設定：ｅＮＢは、スプリットＬＷＡベアラに関して無限大の（または十分に大きい）閾値を用いて、ＵＥを設定（コンフィグ）する。
【０２６９】
上りＬＷＡ送信のために閾値メカニズムが導入される場合、新しいｄｒｂタイプ（ｄｒｂ−ｔｙｐｅ）を導入することなくスイッチドＬＷＡベアラの設定（コンフィグレーション）が達成可能である。無限の閾値では、データの量は決して閾値を超えないので、スプリットＬＷＡベアラを用いて設定されていても、データ方向は、常に一方向（すなわちＷＬＡＮ）に制限される。これは、スイッチドＬＷＡベアラ設定の使用と同等である。
【０２７０】
どのオプションを選択するかに関わらず、ｅＮＢからの明示的又は間接的な設定は、データ方向を制御することができる。
【０２７１】
提案７：ＷＬＡＮのみを介して上りデータを送信するようにＵＥを設定できるようにするために、間接的又は明示的な設定が採用されるべきである。
【０２７２】
米国仮出願第６２／３１６７３９号（２０１６年４月１日出願）及び米国仮出願第６２／３３５９０２号（２０１６年５月１３日出願）の全内容が、参照により、本願明細書に組み込まれている。
【図１】
2017170164.tif 000003
【図２】
2017170164.tif 000004
【図３】
2017170164.tif 000005
【図４】
2017170164.tif 000006
【図５】
2017170164.tif 000007
【図６】
2017170164.tif 000008
【図７】
2017170164.tif 000009
【図８】
2017170164.tif 000010
【図９】
2017170164.tif 000011
【図１０】
2017170164.tif 000012
【図１１】
2017170164.tif 000013
【図１２】
2017170164.tif 000014
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
通信方法であって、
Ｌｏｎｇ  Ｔｅｒｍ  Ｅｖｏｌｕｔｉｏｎ（ＬＴＥ）システムの無線リソース及びＷｉｒｅｌｅｓｓ  Ｌｏｃａｌ  Ａｒｅａ  Ｎｅｔｗｏｒｋ（ＷＬＡＮ）システムの無線リソースを利用可能なＬＴＥ−ＷＬＡＮ  Ａｇｇｒｅｇａｔｉｏｎ（ＬＷＡ）ベアラを設定する設定情報を、前記ＬＴＥシステムにおける基地局がユーザ装置に対して送信するステップであって、前記設定情報は、前記ＬＷＡベアラに対応する閾値を示す第１情報を含む、ステップと、
前記ユーザ装置が、前記設定情報に基づいて、前記ＬＷＡベアラを設定するステップと、
前記ユーザ装置が、前記ＬＷＡベアラに属するデータの量が前記閾値以上であることに応じて、前記ＬＴＥシステム及び前記ＷＬＡＮシステムの両方の無線リソースを使用して前記データを送信する第１の制御を実行するステップと、
前記ユーザ装置が、前記ＬＷＡベアラに属するデータの量が前記閾値未満であることに応じて、前記ＬＴＥシステム及び前記ＷＬＡＮシステムの一方の無線リソースを使用して前記データを送信する第２の制御を実行するステップと、を備える通信方法。
【請求項２】
前記第２の制御を実行するステップは、前記ユーザ装置が、前記設定情報に含まれる第２情報に基づいて、ＬＴＥシステムの無線リソースと前記ＷＬＡＮシステムの無線リソースとのどちらを使用するかを決定するステップを含む
請求項１に記載の通信方法。
【請求項３】
前記ユーザ装置は、ＰＤＣＰエンティティとＭｅｄｉｕｍ  Ａｃｃｅｓｓ  Ｃｏｎｔｒｏｌ（ＭＡＣ）エンティティとを有し、
前記第２の制御を実行するステップは、前記ユーザ装置が、前記第２情報に基づいて前記ＷＬＡＮシステムの無線リソースを使用することを決定した場合、前記ＰＤＣＰエンティティが、送信データの量が０であることを前記ＭＡＣエンティティへ示すステップを含む請求項２に記載の通信方法。
【請求項４】
前記第１の制御を実行するステップは、前記ユーザ装置が、前記データのうち前記ＬＴＥシステムの無線リソースを使用して送信すべきデータ量のみに基づくバッファステータス報告を前記基地局へ送信するステップを含む請求項１に記載の通信方法。
【請求項５】
ユーザ装置を制御するためのプロセッサであって、
前記ユーザ装置がＬｏｎｇ  Ｔｅｒｍ  Ｅｖｏｌｕｔｉｏｎ（ＬＴＥ）システムの無線リソース及びＷｉｒｅｌｅｓｓ  Ｌｏｃａｌ  Ａｒｅａ  Ｎｅｔｗｏｒｋ（ＷＬＡＮ）システムの無線リソースを利用可能なＬＴＥ−ＷＬＡＮ  Ａｇｇｒｅｇａｔｉｏｎ（ＬＷＡ）ベアラを設定する設定情報を、前記ＬＴＥシステムにおける基地局から受信する処理であって、前記設定情報は、前記ＬＷＡベアラに対応する閾値を示す第１情報を含む、処理と、
前記設定情報に基づいて、前記ＬＷＡベアラを設定する処理と、
前記ＬＷＡベアラに属するデータの量が前記閾値以上であることに応じて、前記ＬＴＥシステム及び前記ＷＬＡＮシステムの両方の無線リソースを使用して前記データを送信する第１の制御を実行する処理と、
前記ＬＷＡベアラに属するデータの量が前記閾値未満であることに応じて、前記ＬＴＥシステム及び前記ＷＬＡＮシステムの一方の無線リソースを使用して前記データを送信する第２の制御を実行する処理と、を実行するプロセッサ。
【請求項６】
ユーザ装置であって、
Ｌｏｎｇ  Ｔｅｒｍ  Ｅｖｏｌｕｔｉｏｎ（ＬＴＥ）システム及びＷｉｒｅｌｅｓｓ  Ｌｏｃａｌ  Ａｒｅａ  Ｎｅｔｗｏｒｋ（ＷＬＡＮ）システムの無線リソースを利用可能なＬＴＥ−ＷＬＡＮ  Ａｇｇｒｅｇａｔｉｏｎ（ＬＷＡ）ベアラを設定する設定情報を前記ＬＴＥシステムにおける基地局から受信する処理であって、前記設定情報は、前記ＬＷＡベアラに対応する閾値を示す第１情報を含む、処理と、
前記設定情報に基づいて、前記ＬＷＡベアラを設定する処理と、
前記ＬＷＡベアラに属するデータの量が閾値以上であることに応じて、前記ＬＴＥシステム及び前記ＷＬＡＮシステムの両方の無線リソースを使用して前記データを送信する第１の制御を実行する処理と、
前記ＬＷＡベアラに属するデータの量が前記閾値未満であることに応じて、前記ＬＴＥシステム及び前記ＷＬＡＮシステムの一方の無線リソースを使用して前記データを送信する第２の制御を実行する処理と、を行うコントローラを備えるユーザ装置。
【国際調査報告】
2017170164.tif 000015
2017170164.tif 000016
2017170164.tif 000017
2017170164.tif 000018